(57)【要約】      （修正有）【課題】輝度モードに適した光源の制御を行うことができるマルチ画面表示装置を提供する。【解決手段】マルチ画面表示装置において、マイコン４３は、目標輝度を各輝度モード毎に算出し、各投射型映像表示装置１００は、当該投射型映像表示装置１００に設定されている輝度モードに対応して算出された目標輝度に対応する、目標となる制御電流値を特定し、各投射型映像表示装置１００は、特定された該制御電流値を示す電流を、当該投射型映像表示装置１００の光源３４に供給する。【選択図】図３
2015099297.tif 000002
【特許請求の範囲】
【請求項１】
互いに通信する複数の投射型映像表示装置の画面から構成されるマルチ画面に映像を表示するマルチ画面表示装置であって、
前記複数の投射型映像表示装置の各々は、
供給される電流に応じた輝度の光を出射し、半導体発光素子からなる光源を備え、
各前記投射型映像表示装置には、該投射型映像表示装置が前記光源から出射される光を使用して表示する映像の輝度である映像輝度が異なる複数種類の輝度モードのいずれかが設定され、
前記複数の投射型映像表示装置の各々は、さらに、
前記光源の制御電流と、該制御電流に対応する輝度としての前記映像輝度との関係を示す特性である輝度特性を記憶する記憶部を備え、
前記複数の投射型映像表示装置のいずれかである第１投射型映像表示装置は、
前記第１投射型映像表示装置が出力可能な前記映像輝度と、前記複数の投射型映像表示装置のうち該第１投射型映像表示装置以外の第２投射型映像表示装置が出力可能な前記映像輝度とに基づいて、目標となる輝度である目標輝度を各前記輝度モード毎に算出する算出部を備え、
前記各投射型映像表示装置は、
（ａ）前記輝度特性を使用して、該投射型映像表示装置に設定されている前記輝度モードに対応して算出された前記目標輝度に対応する前記制御電流の値であり、かつ、目標となる制御電流値を特定し、
（ｂ）特定された前記制御電流値を示す電流を、該投射型映像表示装置の前記光源に供給する
マルチ画面表示装置。
【請求項２】
各前記投射型映像表示装置には、映像信号が入力され、
前記算出部は、さらに、前記第１投射型映像表示装置が特定した前記制御電流値に対応する色度と、該第１投射型映像表示装置に設定されている前記輝度モードと、前記第２投射型映像表示装置が特定した前記制御電流値に対応する色度と、該第２投射型映像表示装置に設定されている前記輝度モードとに基づいて、目標となる色度である目標色度を各前記輝度モード毎に算出し、
前記各投射型映像表示装置は、該投射型映像表示装置に設定されている前記輝度モードである設定輝度モードに対応する前記目標色度に基づいて、該設定輝度モードに対応する、該投射型映像表示装置に入力される前記映像信号のレベルを補正するための補正係数を算出する
請求項１に記載のマルチ画面表示装置。
【請求項３】
前記算出部は、さらに、前記複数の投射型映像表示装置の一部の前記輝度モードが変更される際に、既に算出されている前記目標輝度と、変更後の前記輝度モードに対応する前記目標輝度である変更目標輝度との差が最小となるように、前記変更目標輝度を算出する
請求項１または２に記載のマルチ画面表示装置。
【請求項４】
前記各投射型映像表示装置は、外部の演算装置と通信し、
前記演算装置は、前記算出部の代わりに、前記目標輝度を算出する
請求項１〜３のいずれか１項に記載のマルチ画面表示装置。
【発明の詳細な説明】
【技術分野】
【０００１】
本発明は、複数種類の輝度モードのいずれかが設定される各投射型映像表示装置から構成されるマルチ画面表示装に関する。
【背景技術】
【０００２】
大画面に映像を表示する装置として、複数の投射型映像表示装置の画面から構成されるマルチ画面に映像を表示するマルチ画面表示装置が存在する。このマルチ画面表示装置を構成する各投射型映像表示装置の光源として、例えば、高電圧放電ランプ、半導体発光素子であるＬＥＤ（Light Emitting Diode：発光ダイオード）などの光デバイスが使用されている。これらの光デバイスの製造ばらつき等により、複数の投射型映像表示装置の各々が表示する映像において輝度がばらつくことがある。このような輝度のばらつきが存在する場合、マルチ画面における画面間の輝度差が目立ってしまい、マルチ画面全体に表示される映像の一体感が損なわれることがある。
【０００３】
そこで、特許文献１では、マルチスクリーン（画面）における各スクリーンの輝度のばらつきを抑制する技術（以下、関連技術Ａともいう）が開示されている。具体的には、関連技術Ａでは、各投射型映像表示装置において、映像の形成に使用される光の輝度が随時計測される。そして、計測された輝度を、複数の投射型映像表示装置同士において共有する。そして、例えば、計測された複数の輝度のうち最低の輝度が、目標輝度として設定される。次に、各投射型映像表示装置が、輝度値と、光源に流す電流値との関係を使用して、当該投射型映像表示装置が表示する映像の輝度が、目標輝度になるための電流値を設定する。これにより、各投射型映像表示装置が表示する映像の輝度を近づける。
【０００４】
また、特許文献２においても、特許文献１と同様に、輝度のばらつきを抑制する技術が開示されている。
【先行技術文献】
【特許文献】
【０００５】
【特許文献１】特許第３７０３３６１号公報
【特許文献２】特開２０１２−１５０１４９号公報
【発明の概要】
【発明が解決しようとする課題】
【０００６】
しかしながら、複数の投射型映像表示装置から構成されるマルチ画面表示装置は、主として、道路、交通、プラント等の監視ルームに使用される事例が多い。これらの事例では、時間帯、表示内容によっては、マルチ画面表示装置を構成するすべての投射型映像表示装置の出力輝度を常時、最高にする必要がない場合がある。
【０００７】
マルチ画面表示装置を構成する各投射型映像表示装置は、一般的に、表示する映像の輝度が異なる複数種類の輝度モードを有する。そのため、マルチ画面表示装置では、消費電力を抑えるために、特定の投射型映像表示装置には、他の投射型映像表示装置の輝度モードよりも、映像の輝度が低い輝度モードが設定される場合がある。
【０００８】
なお、同一の輝度モードが設定される当該特定の投射型映像表示装置の数が複数である場合、同一の輝度モードが設定されている各投射型映像表示装置の画面間において輝度のばらつきを抑制する必要がある。輝度のばらつきを抑制するためには、各投射型映像表示装置に設定される輝度モードに適した光源の制御を行うことが必要である。なお、関連技術Ａでは、輝度モードに適した光源の制御を行うことができない。
【０００９】
本発明は、このような問題を解決するためになされたものであり、輝度モードに適した光源の制御を行うことが可能なマルチ画面表示装置を提供することを目的とする。
【課題を解決するための手段】
【００１０】
上記目的を達成するために、本発明の一態様に係るマルチ画面表示装置は、互いに通信する複数の投射型映像表示装置の画面から構成されるマルチ画面に映像を表示する。前記複数の投射型映像表示装置の各々は、供給される電流に応じた輝度の光を出射し、半導体発光素子からなる光源を備え、各前記投射型映像表示装置には、該投射型映像表示装置が前記光源から出射される光を使用して表示する映像の輝度である映像輝度が異なる複数種類の輝度モードのいずれかが設定され、前記複数の投射型映像表示装置の各々は、さらに、前記光源の制御電流と、該制御電流に対応する輝度としての前記映像輝度との関係を示す特性である輝度特性を記憶する記憶部を備え、前記複数の投射型映像表示装置のいずれかである第１投射型映像表示装置は、前記第１投射型映像表示装置が出力可能な前記映像輝度と、前記複数の投射型映像表示装置のうち該第１投射型映像表示装置以外の第２投射型映像表示装置が出力可能な前記映像輝度とに基づいて、目標となる輝度である目標輝度を各前記輝度モード毎に算出する算出部を備え、前記各投射型映像表示装置は、（ａ）前記輝度特性を使用して、該投射型映像表示装置に設定されている前記輝度モードに対応して算出された前記目標輝度に対応する前記制御電流の値であり、かつ、目標となる制御電流値を特定し、（ｂ）特定された前記制御電流値を示す電流を、該投射型映像表示装置の前記光源に供給する。
【発明の効果】
【００１１】
本発明によれば、算出部は、目標輝度を各輝度モード毎に算出する。前記各投射型映像表示装置は、該投射型映像表示装置に設定されている前記輝度モードに対応して算出された前記目標輝度に対応する、目標となる制御電流値を特定する。前記各投射型映像表示装置は、特定された該制御電流値を示す電流を、該投射型映像表示装置の前記光源に供給する。
【００１２】
これにより、輝度モードに適した光源の制御を行うことができる。したがって、同一の輝度モードが設定されている各投射型映像表示装置における輝度のばらつきを抑制することができる。
【図面の簡単な説明】
【００１３】
【図１】本発明の実施の形態１に係るマルチ画面表示装置の構成を示す図である。
【図２】マルチ画面を説明するための図である。
【図３】本発明の実施の形態１に係る投射型映像表示装置の構成を示すブロック図である。
【図４】輝度特性の一例を示す図である。
【図５】輝度調整処理のフローチャートである。
【図６】各投射型映像表示装置に設定される輝度モードの状態を示す図である。
【図７】色度特性の一例を示す図である。
【図８】輝度色度調整処理のフローチャートである。
【図９】目標色度を算出するための方法を説明するための図である。
【図１０】各投射型映像表示装置が出力可能な特性輝度を示す図である。
【図１１】比較例において、輝度モードが変更された場合における目標輝度の変遷を示す図である。
【図１２】目標輝度算出処理Ａ１のフローチャートである。
【図１３】本発明の実施の形態３に係る目標輝度算出処理を説明するための図である。
【発明を実施するための形態】
【００１４】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１５】
＜実施の形態１＞
図１は、本発明の実施の形態１に係るマルチ画面表示装置１０００の構成を示す図である。マルチ画面表示装置１０００は、詳細は後述するが、画面（スクリーン）に、映像を構成する映像光を投射することが可能な複数の投射型映像表示装置から構成される。また、マルチ画面表示装置１０００は、互いに通信する複数の投射型映像表示装置の画面から構成されるマルチ画面に映像を表示する装置である。以下、マルチ画面表示装置１０００について具体的に説明する。
【００１６】
図１に示すように、マルチ画面表示装置１０００は、投射型映像表示装置１００ａ，１００ｂ，１００ｃ，１００ｄを含む。投射型映像表示装置１００ａ，１００ｂ，１００ｃ，１００ｄの各々は、詳細は後述するが、同一の構成を有する。以下においては、投射型映像表示装置１００ａ，１００ｂ，１００ｃ，１００ｄの各々を、単に、投射型映像表示装置１００とも表記する。すなわち、マルチ画面表示装置１０００は、４台の投射型映像表示装置１００から構成される。
【００１７】
なお、マルチ画面表示装置１０００を構成する投射型映像表示装置１００の数は、４に限定されず、２、３または５以上であってもよい。
【００１８】
各投射型映像表示装置１００は、映像の輝度を変更するための複数種類の輝度モードを有する。各投射型映像表示装置１００には、複数種類の輝度モードのいずれかが設定される。なお、輝度モードの詳細については後述する。
【００１９】
投射型映像表示装置１００ａ，１００ｂ，１００ｃ，１００ｄは、それぞれ、図２に示される画面１０ａ，１０ｂ，１０ｃ，１０ｄを含む。
【００２０】
マルチ画面表示装置１０００は、マルチ画面１０Ａを含む。図２に示すように、マルチ画面１０Ａは、行列状に配列された画面１０ａ，１０ｂ，１０ｃ，１０ｄから構成される１つの画面である。以下においては、画面１０ａ，１０ｂ，１０ｃ，１０ｄの各々を、単に、画面１０とも表記する。画面１０は、映像を構成する映像光が照射されるスクリーンである。なお、マルチ画面１０Ａを構成する画面の数は、４に限定されず、２、３または５以上であってもよい。
【００２１】
投射型映像表示装置１００ａ，１００ｂ，１００ｃ，１００ｄは、通信ケーブル７を利用して、互いに通信可能なように構成されている。各投射型映像表示装置１００には、重複しない固有のＩＤ番号（ＩＤ１〜ＩＤ４）が割り当てられる。具体的には、投射型映像表示装置１００ａ，１００ｂ，１００ｃ，１００ｄには、それぞれ、ＩＤ１，ＩＤ２、ＩＤ３，ＩＤ４が割り当てられる。
【００２２】
マルチ画面表示装置１０００を構成する複数の投射型映像表示装置１００のいずれかは、マスター装置として機能し、当該マスター装置以外の投射型映像表示装置１００は、スレーブ装置として機能する。
【００２３】
本実施の形態では、一例として、ＩＤ番号「ＩＤ１」が割当てられた投射型映像表示装置１００ａが、マスター装置として機能する。また、ＩＤ番号「ＩＤ２」，「ＩＤ３」，「ＩＤ４」が、それぞれ割当てられた投射型映像表示装置１００ｂ，１００ｃ，１００ｄがスレーブ装置として機能する。
【００２４】
マスター装置としての投射型映像表示装置１００ａは、スレーブ装置としての投射型映像表示装置１００ｂ，１００ｃ，１００ｄを統括的に制御する。なお、投射型映像表示装置１００ａは、通信ケーブル７を利用して、投射型映像表示装置１００ｂ，１００ｃ，１００ｄと通信可能である。
【００２５】
なお、以下においては、投射型映像表示装置１００ａを、マスター装置Ｍａとも表記する。また、以下においては、投射型映像表示装置１００ｂ，１００ｃ，１００ｄを、それぞれ、スレーブ装置Ｓｂ，Ｓｃ，Ｓｄとも表記する。
【００２６】
マルチ画面表示装置１０００は、各投射型映像表示装置１００が画面１０に映像を表示することにより、マルチ画面１０Ａに映像を表示する。
【００２７】
図３は、マスター装置またはスレーブ装置としての投射型映像表示装置１００の構成を示すブロック図である。なお、図３には、投射型映像表示装置１００に含まれない映像ソース装置５および外部制御装置６も示される。
【００２８】
映像ソース装置５は、映像信号を、マルチ画面表示装置１０００を構成する各投射型映像表示装置１００へ出力する装置である。すなわち、各投射型映像表示装置１００には、映像信号が入力される。
【００２９】
外部制御装置６は、マルチ画面表示装置１０００を構成する各投射型映像表示装置１００と通信可能に構成される。すなわち、各投射型映像表示装置１００は、外部制御装置６と通信する。
【００３０】
外部制御装置６は、例えば、ＰＣ（Personal Computer）である。外部制御装置６は、当該外部制御装置６を操作するためのユーザーインタフェースを備える。当該ユーザーインタフェースは、キーボード、マウス等である。外部制御装置６は、ユーザーによるユーザーインタフェースの操作に従って、マルチ画面表示装置１０００を構成する各投射型映像表示装置１００を制御する機能を有する。
【００３１】
図３に示すように、投射型映像表示装置１００は、画面１０と、投射ユニット３と、電源回路ユニット４とを含む。投射ユニット３は、映像信号に基づいて、映像光を画面１０に投射する。電源回路ユニット４は、所定の信号処理を行った映像信号を投射ユニット３に与える。
【００３２】
次に、各構成について詳細に説明する。まず、電源回路ユニット４について詳細に説明する。電源回路ユニット４は、映像入力回路４１と、映像処理回路４２と、マイコン４３と、メモリ４４とを含む。
【００３３】
映像入力回路４１は、マルチ画面表示装置１０００の外部に配置された映像ソース装置５が出力する映像信号を受信する。次に、投射型映像表示装置１００の映像入力回路４１は、受信した映像信号を、デジタル信号に変換し、変換したデジタル映像信号を、映像処理回路４２へ出力する。
【００３４】
映像処理回路４２は、詳細は後述するが、受信したデジタル映像信号が示す画像に対し画質調整等の画像処理を行う。次に、映像処理回路４２は、画像処理されたデジタル映像信号を、投射ユニット３（後述の映像表示デバイス３１）が処理可能なフォーマットの映像信号に変換するデジタル信号フォーマット変換を行う。
【００３５】
以下においては、赤色、緑色および青色を、それぞれ、Ｒ、ＧおよびＢとも表記する。映像処理回路４２が処理するデジタル映像信号は、Ｒ信号、Ｇ信号、Ｂ信号を示す。
【００３６】
ここで、映像処理回路４２が行う画質調整について説明する。映像処理回路４２は、デジタル映像信号が示す、３原色であるＲ，Ｇ，Ｂ信号のレベルを、映像を構成する各画素および各原色毎に、独立して増減させる画質調整機能を有している。
【００３７】
本実施の形態では、映像処理回路４２は、該デジタル映像信号が示すＲ，Ｇ，Ｂ信号のレベルに対し、以下の式１で示される、３×３のマトリックス演算を行う演算機能を搭載している。映像処理回路４２は、式１の演算を行うことにより画質調整を行う。
【００３８】
【数１】
2015099297.tif 000003
【００３９】
式１において、Ｒｉ、Ｇｉ、Ｂｉは、それぞれ、映像処理回路４２に入力されるデジタル映像信号が示すＲ，Ｇ，Ｂ信号のレベルを示す。また、式１において、ＲＲ、ＲＧ、ＲＢ、ＧＲ、ＧＧ、ＧＢ、ＢＲ、ＢＧ、ＢＢは、補正係数である。また、式１において、Ｒｏ、Ｇｏ、Ｂｏは、それぞれ、当該補正係数により補正された補正後のＲ，Ｇ，Ｂ信号のレベルを示す。
【００４０】
この式１の演算により、例えば、Ｒｏの信号レベルは、Ｒｉの信号レベルを増減したものに対し、Ｇｉ及びＢｉの信号レベルを少し加算したものとなる。映像処理回路４２は、式１の演算を行うことにより、上述の画質調整機能として、Ｒ単色の輝度および色度の調整（主に色度調整）を実行する。
【００４１】
なお、後述の実施の形態２において、式１の補正係数は、後述のマイコン４３により算出され、映像処理回路４２は、当該算出された補正係数を、式１の補正係数として用いる。映像処理回路４２は、画質調整後の映像信号に対し、上述のデジタル信号フォーマット変換を行う。以下においては、デジタル信号フォーマット変換により得られる信号を、変換済デジタル信号ともいう。そして、映像処理回路４２は、マイコン４３からの指示に従ったタイミングで、変換済デジタル信号を、投射ユニット３の映像表示デバイス３１へ出力する。
【００４２】
メモリ４４は、情報、データ等を記憶するための記憶部である。
【００４３】
マイコン４３は、マルチ画面表示装置１０００の外部に配置された外部制御装置６により、制御される。また、マイコン４３は、詳細は後述するが、投射型映像表示装置１００の各構成要素を統括的に制御する。
【００４４】
次に、投射ユニット３について詳細に説明する。
【００４５】
投射ユニット３は、映像表示デバイス３１と、投射レンズ３２と、光合成装置３３と、光源３４Ｌと、光源ドライバ３５と、輝度センサー３６とを含む。
【００４６】
映像表示デバイス３１は、例えば、ＤＭＤ（Digital Micromirror Device）である。すなわち、各投射型映像表示装置１００は、１つのＤＭＤを用いる単板方式の装置である。なお、映像表示デバイス３１は、ＤＭＤに限定されず、他の映像表示デバイスであってもよい。
【００４７】
光源３４Ｌは、３原色の光（赤色光、緑色光および青色光）を順次出射する光源である。
【００４８】
光源３４Ｌは、光源３４Ｒ，３４Ｇ，３４Ｂを含む。光源３４Ｒ，３４Ｇ，３４Ｂの各々は、半導体発光素子である。光源３４Ｒ，３４Ｇ，３４Ｂの各々は、例えば、ＬＥＤである。光源３４Ｒは、赤色光を出射する赤光源である。光源３４Ｇは、緑色光を出射する緑光源である。光源３４Ｂは、青色光を出射する青光源である。
【００４９】
以下においては、光源３４Ｒ，３４Ｇ，３４Ｂの各々を、単に、光源３４とも表記する。すなわち、マルチ画面表示装置１０００を構成する複数の投射型映像表示装置１００の各々は、半導体発光素子からなる光源３４を備える。光源３４は、当該光源３４に流れる電流の大きさに応じた輝度の光を出射する。すなわち、光源３４は、供給される電流に応じた輝度の光を出射する。光源３４が出射する光の輝度は、投射型映像表示装置１００に設定される輝度モード毎に異なる。
【００５０】
詳細は後述するが、投射型映像表示装置１００は、光源３４から出射される光を使用して映像を表示する。以下においては、投射型映像表示装置１００が光源３４から出射される光を使用して表示する映像の輝度を、映像輝度ともいう。映像輝度は、画面１０に表示される映像の輝度である。
【００５１】
マルチ画面表示装置１０００を構成する各投射型映像表示装置１００には、映像輝度が異なる複数種類の輝度モードのいずれかが設定される。
【００５２】
なお、投射型映像表示装置１００の輝度モードの設定は、外部制御装置６に対するユーザーの操作により行われる。以下においては、投射型映像表示装置１００に設定されている輝度モードを、設定輝度モードともいう。
【００５３】
本実施の形態では、複数種類の輝度モードは、一例として、通常モードおよび省電力モードであるとする。通常モードは、映像輝度が、省電力モードより高いモードである。省電力モードは、映像輝度が通常モードより低いモードである。省電力モードにおいて光源３４に供給される電流の量は、通常モードにおいて光源３４に供給される電流の量より少ない。すなわち、省電力モードは、通常モードより、投射型映像表示装置１００の消費電力が小さいモードである。
【００５４】
なお、省電力モードにおいて、光源３４に供給される電流の量の下限は、ユーザーが画面１０を見た場合の映像の明るさの観点ではなく、投射型映像表示装置１００を構成する、各種の電子回路で決まる。また、各輝度モードにおける映像輝度は予め定められている。
【００５５】
また、メモリ４４には、さらに、輝度モード情報が予め記憶される。輝度モード情報は、輝度モードの種類を特定するための情報である。以下においては、投射型映像表示装置１００の輝度モードが通常モードであることを示す輝度モード情報を、輝度モード情報αともいう。輝度モード情報αは、モード識別子「α」を示す。モード識別子「α」は、輝度モードが通常モードであることを示す。
【００５６】
また、以下においては、投射型映像表示装置１００の輝度モードが省電力モードであることを示す輝度モード情報を、輝度モード情報βともいう。輝度モード情報βは、モード識別子「β」を示す。モード識別子「β」は、輝度モードが省電力モードであることを示す。
【００５７】
メモリ４４には、投射型映像表示装置１００に設定されている輝度モードに対応する輝度モード情報が記憶されている。例えば、投射型映像表示装置１００に設定されている輝度モードが通常モードである場合、メモリ４４には、輝度モード情報αが記憶されている。
【００５８】
なお、輝度モードは、通常モードおよび省電力モードの２種類に限定されず、３種類以上であってもよい。
【００５９】
光源ドライバ３５は、光源３４Ｌの光源３４Ｒ，３４Ｇ，３４Ｂを発光させる制御を行う。具体的には、光源ドライバ３５は、マイコン４３からの指示に従って、異なるタイミング（時分割）で、赤色光、緑色光および青色光が順次出射されるように、光源３４Ｒ，３４Ｇ，３４Ｂを制御する。
【００６０】
より具体的には、光源ドライバ３５は、各光源３４を発光させるために、当該光源３４に、制御電流（ドライブ電流）を供給する。制御電流は、各光源３４が出射する光の輝度を制御するための電流である。光源ドライバ３５は、当該制御電流を、各光源３４に時分割で供給する。これにより、光源３４Ｌが発光するタイミングが時分割で制御される。
【００６１】
光合成装置３３は、光源３４Ｒ，３４Ｇ，３４Ｂからそれぞれ出射される、赤色光、緑色光および青色光を、順次、出射する。
【００６２】
光源３４Ｒ，３４Ｇ，３４Ｂの各々が出射する光は、光合成装置３３を介して、映像表示デバイス３１へ照射された後、投射レンズ３２を介して画面１０へ照射される。なお、赤色光、緑色光および青色光は、非常に短い時間間隔で画面１０に、順次照射される。
【００６３】
そのため、画面１０を視るユーザーは、赤色光の映像、緑色光の映像および青色光の映像が合成された映像が画面１０に照射されているように見える。すなわち、ユーザーは、画面１０において、赤、緑、青が混色された色が見える。これにより、画面１０にフルカラーの映像が表示される。
【００６４】
映像表示デバイス３１は、映像処理回路３２から受信する、前述の変換済デジタル信号にしたがって、照射された光を強度変調し、変調後の光を、投射レンズ３２へ導く。
【００６５】
マイコン４３は、光源ドライバ３５を介して、光源３４Ｒ，３４Ｇ，３４Ｂの各々が出射する光の輝度を制御する。具体的には、マイコン４３は、光源ドライバ３５を介して、光源３４Ｒ，３４Ｇ，３４Ｂの各々に供給される制御電流を制御する。また、マイコン４３は、メモリ４４にアクセス可能に構成される。マイコン４３は、赤色光、緑色光および青色光の輝度特性、各種データを、予め、メモリ４４に記憶させておく。すなわち、メモリ４４は、当該メモリ４４を含む投射型映像表示装置１００の赤色光、緑色光および青色光の輝度特性を記憶する。また、マイコン４３は、必要に応じて、メモリ４４に記憶されている、輝度特性、各種データ等を読み出す。
【００６６】
輝度特性とは、光源３４の制御電流と、当該制御電流に対応する映像輝度との関係を示す特性である。以下においては、光源３４を動作させるための制御電流の電流値（値）を、制御電流値ともいう。また、以下においては、赤色光のみで得られた映像輝度、緑色光のみで得られた映像輝度および青色光のみで得られた映像輝度を、それぞれ、Ｒ輝度、Ｇ輝度およびＢ輝度ともいう。
【００６７】
図４は、輝度特性の一例を示す図である。図４（ａ）は、赤色光を出射する光源３４Ｒに対応する輝度特性ＬＲ１の一例を示す図である。図４（ａ）において、ＹＲ０とは、光源３４Ｒの制御電流値がＩＲ０であり、かつ、光源３４Ｒが出射する赤色光のみが画面１０に照射されることにより画面１０が映像を表示している状態における映像輝度である。
【００６８】
図４（ｂ）は、緑色光を出射する光源３４Ｇに対応する輝度特性ＬＧ１の一例を示す図である。図４（ｂ）において、ＹＧ０とは、光源３４Ｇの制御電流値がＩＧ０であり、かつ、光源３４Ｇが出射する緑色光のみが画面１０に照射されることにより画面１０が映像を表示している状態における映像輝度である。
【００６９】
図４（ｃ）は、青色光を出射する光源３４Ｂに対応する輝度特性ＬＢ１の一例を示す図である。図４（ｃ）において、ＹＢ０とは、光源３４Ｂの制御電流値がＩＢ０であり、かつ、光源３４Ｂが出射する青色光のみが画面１０に照射されることにより画面１０が映像を表示している状態における映像輝度である。
【００７０】
以下においては、輝度特性ＬＲ１，ＬＧ１，ＬＢ１の各々を、単に、輝度特性Ｌとも表記する。輝度特性Ｌは、電流（制御電流）と輝度（映像輝度）との関係を示す電流輝度特性である。
【００７１】
また、光源３４へ供給する制御電流の量を制御することにより、光源３４が出射する光の輝度を制御することが可能である。そこで、本実施の形態では、前述の異なる各輝度モードに対応する制御電流値を、予め、メモリ４４に記憶させておく。すなわち、メモリ４４は、各輝度モードに対応する制御電流値を記憶する。
【００７２】
本実施の形態では、各投射型映像表示装置１００のメモリ４４には、光源３４Ｒ，３４Ｇ，３４Ｂの各々の初期設定値Ｉ０＿α，Ｉ０＿βが予め記憶されている。初期設定値Ｉ０＿αは、輝度モードとしての通常モードに対応する、初期の制御電流値である。Ｉ０＿αは、例えば、３０（Ａ）である。初期設定値Ｉ０＿βは、輝度モードとしての省電力モードに対応する、初期の制御電流値である。Ｉ０＿βは、例えば、１５（Ａ）である。
【００７３】
詳細は後述するが、ユーザーが、外部制御装置６に対し、投射型映像表示装置１００の輝度モードを変更するための操作を行ったとする。この場合、マイコン４３は、変更後の輝度モードに対応する制御電流値をメモリ４４から読み出し、当該制御電流値の制御電流を、光源３４に供給するための制御を行う。これにより、ユーザーは、投射型映像表示装置１００が表示する映像の輝度を素早く切り替えることが可能である。
【００７４】
なお、マスター装置Ｍａのマイコン４３と、スレーブ装置Ｓｂ，Ｓｃ，Ｓｄの各々のマイコン４３とは、通信ケーブル７、通信インタフェース（図示せず）等を介して、情報を互いに送受信可能なように構成される。例えば、マスター装置Ｍａのマイコン４３は、通信ケーブル７を介して、スレーブ装置Ｓｂ，Ｓｃ，Ｓｄの各々のマイコン４３に制御命令を送信する。
【００７５】
マスター装置Ｍａのマイコン４３と、スレーブ装置Ｓｂ，Ｓｃ，Ｓｄの各々のマイコン４３とは、通信ケーブル７を用いずに通信可能に構成されてもよい。例えば、マスター装置Ｍａおよびスレーブ装置Ｓｂ，Ｓｃ，Ｓｄの各々は、互いに、無線通信を行う機能を有してもよい。
【００７６】
輝度センサー３６は、マイコン４３が画面１０に投射される映像光の光量（輝度）を検出するための光量を検出する。輝度センサー３６は、検出した映像光の光量を、マイコン４３へ送信する。本実施の形態では、輝度センサー３６は、投射ユニット３内において、画面１０に投射されない不要光を映像表示デバイス３１から受け取って、当該不要光の光量を検出し、該検出した光量をマイコン４３へ送信する。
【００７７】
マイコン４３は、受信した当該光量に基づいて、画面１０に投射される映像光の輝度（映像輝度）を擬似的に検出（監視）する。なお、投射ユニット３として液晶映像表示装置が用いられる場合、バックライトからの光の光量に基づいて、マイコン４３は、映像輝度を擬似的に検出してもよい。
【００７８】
各投射型映像表示装置１００は、工場出荷時または製品の映像調整時に、特性算出工程を行う。特性算出工程では、投射型映像表示装置１００が、図４（ａ）〜（ｃ）の輝度特性ＬＲ１，ＬＧ１，ＬＢ１の各々を算出する。具体的には、投射型映像表示装置１００が、Ｒ、Ｇ、Ｂごとに、各光源３４の制御電流に対応する、画面１０における輝度（映像輝度）を、当該制御電流を変化させながら、輝度センサー３６を用いて測定する。
【００７９】
例えば、投射型映像表示装置１００は、光源３４Ｒのみに制御電流を供給し、画面１０に赤色光のみが照射されている状態で、当該制御電流を変化させながら、輝度センサー３６を用いて、映像輝度を測定する。これにより、輝度特性ＬＲ１が算出される。輝度特性ＬＧ１，ＬＢ１も、輝度特性ＬＲ１と同様に、算出される。
【００８０】
これにより、投射型映像表示装置１００は、輝度特性ＬＲ１，ＬＧ１，ＬＢ１を算出する。そして、投射型映像表示装置１００は、算出した輝度特性ＬＲ１，ＬＧ１，ＬＢ１を、当該投射型映像表示装置１００のメモリ４４に記憶させる。これにより、メモリ４４には、輝度特性ＬＲ１，ＬＧ１，ＬＢ１が記憶される。すなわち、各投射型映像表示装置１００のメモリ４４は、当該投射型映像表示装置１００に対応した輝度特性ＬＲ１，ＬＧ１，ＬＢ１を記憶する。
【００８１】
なお、映像輝度の測定は、輝度センサー３６を用いない以下の工程Ａにより行われてもよい。工程Ａでは、例えば、作業者が、投射型映像表示装置１００が画面１０に赤色光のみを照射するように、外部制御装置６を操作する。作業者は照度計を用いて、画面１０上の映像輝度を測定する。そして、作業者は外部制御装置６を操作することにより、光源３４Ｒの制御電流を変化させる毎に、作業者が画面１０上の映像輝度を測定する。
【００８２】
これにより、作業者は、輝度特性ＬＲ１を求める。そして、作業者は、求めた輝度特性ＬＲ１を、メモリ４４に記憶させるように、外部制御装置６を操作する。輝度特性ＬＧ１，ＬＢ１も、輝度特性ＬＲ１と同様な方法により、メモリ４４に記憶される。
【００８３】
なお、マルチ画面表示装置１０００において、仮に、後述の輝度調整処理が行われない場合、以下の問題点がある。マルチ画面表示装置１０００が初めて使用される際には、各投射型映像表示装置１００の製造上のばらつきにより、各投射型映像表示装置１００が表示する映像において、輝度のばらつきが生じることがある。
【００８４】
仮に、後述の輝度調整処理が行われてない場合、輝度のばらつきが存在する状態で、各投射型映像表示装置１００が、全白の映像信号に従って、当該投射型映像表示装置１００の画面１０全体に白色を表示したとする。この場合、マルチ画面１０Ａにおける各画面１０間に輝度差が生じる。その結果、マルチ画面１０Ａに表示される映像の一体感が損なわれる。
【００８５】
なお、輝度差が抑制されるように、作業者が、目視、計測器等により、各投射型映像表示装置１００の輝度を調整する作業を行うことは可能である。しかしながら、その作業は困難であり、かつ、時間が掛かるものである。
【００８６】
そこで、本実施の形態では、上記問題を解決するために、以下の状況Ａ，Ｂにおいても、各投射型映像表示装置１００の輝度の調整を、適切かつ自動的に実施する。状況Ａの一例は、マルチ画面表示装置１０００の運用中に、ユーザーによる外部制御装置６の操作により、複数の投射型映像表示装置１００のいずれかの輝度モードが変更されるという状況である。
【００８７】
また、状況Ｂの一例は、マルチ画面表示装置１０００の設置時において、輝度モードが異なる投射型映像表示装置１００が混在しているという状況である。以下、このような輝度の調整を実施可能にするための処理について説明する。
【００８８】
本実施の形態では、マルチ画面表示装置１０００が、各投射型映像表示装置１００の輝度モードを考慮して、輝度を自動的に調整するための処理（以下、輝度調整処理ともいう）を行う。輝度調整処理は、主に、マスター装置Ｍａ及びスレーブ装置Ｓｂ，Ｓｃ，Ｓｄのマイコン４３によって行われる。以下においては、スレーブ装置Ｓｂ，Ｓｃ，Ｓｄの各々を、単に、スレーブ装置Ｓともいう。
【００８９】
図５は、輝度調整処理のフローチャートである。輝度調整処理は、例えば、前述の状況Ａまたは状況Ｂにおいて、複数の投射型映像表示装置１００間の輝度のばらつきを抑制する調整を自動的に行う処理である。
【００９０】
以下、図５を用いて、輝度調整処理について説明する。まず、条件Ａにおける輝度調整処理について説明する。条件Ａでは、図６（ａ）のように、マスター装置Ｍａ（投射型映像表示装置１００ａ）およびスレーブ装置Ｓｂ（投射型映像表示装置１００ｂ）には、輝度モードとして、通常モードが設定されているとする。また、スレーブ装置Ｓｃ（投射型映像表示装置１００ｃ），スレーブ装置Ｓｄ（投射型映像表示装置１００ｄ）には、輝度モードとして、省電力モードが設定されているとする。
【００９１】
また、条件Ａでは、マスター装置Ｍａおよびスレーブ装置Ｓｂの各々のメモリ４４には、輝度モード情報αが記憶されているとする。また、スレーブ装置Ｓｃ，Ｓｄの各々のメモリ４４には、輝度モード情報βが記憶されているとする。
【００９２】
以下においては、通常モードにおける光源３４Ｒの制御電流の電流値（制御電流値）を、ＩＲｎ＿αとも表記する。また、以下においては、通常モードにおける光源３４Ｇの制御電流の電流値（制御電流値）を、ＩＧｎ＿αとも表記する。また、以下においては、通常モードにおける光源３４Ｂの制御電流の電流値（制御電流値）を、ＩＢｎ＿αとも表記する。
【００９３】
なお、ＩＲｎ＿α、ＩＧｎ＿αおよびＩＢｎ＿αの各々における「ｎ」は、自然数である。当該ｎは、各投射型映像表示装置１００に割り当てられたＩＤ番号（例えば、ＩＤ１）が示す数字に対応する。
【００９４】
ここで、ｎ＝１の場合、ＩＲｎ＿α、ＩＧｎ＿αおよびＩＢｎ＿αは、それぞれ、投射型映像表示装置１００ａ（マスター装置Ｍａ）に含まれる光源３４Ｒ，３４Ｇ，３４Ｂの制御電流値である。また、ｎ＝２の場合、ＩＲｎ＿α、ＩＧｎ＿αおよびＩＢｎ＿αは、それぞれ、投射型映像表示装置１００ｂ（スレーブ装置Ｓｂ）に含まれる光源３４Ｒ，３４Ｇ，３４Ｂの制御電流値である。
【００９５】
また、ｎ＝３の場合、ＩＲｎ＿α、ＩＧｎ＿αおよびＩＢｎ＿αは、それぞれ、投射型映像表示装置１００ｃ（スレーブ装置Ｓｃ）に含まれる光源３４Ｒ，３４Ｇ，３４Ｂの制御電流値である。また、ｎ＝４の場合、ＩＲｎ＿α、ＩＧｎ＿αおよびＩＢｎ＿αは、それぞれ、投射型映像表示装置１００ｄ（スレーブ装置Ｓｄ）に含まれる光源３４Ｒ，３４Ｇ，３４Ｂの制御電流値である。
【００９６】
また、以下においては、省電力モードにおける光源３４Ｒの制御電流の電流値（制御電流値）を、ＩＲｎ＿βとも表記する。また、以下においては、省電力モードにおける光源３４Ｇの制御電流の電流値（制御電流値）を、ＩＧｎ＿βとも表記する。また、以下においては、省電力モードにおける光源３４Ｂの制御電流の電流値（制御電流値）を、ＩＢｎ＿βとも表記する。ＩＲｎ＿β、ＩＧｎ＿βおよびＩＢｎ＿βにおける「ｎ」は、ＩＲｎ＿α、ＩＧｎ＿αおよびＩＢｎ＿αにおける「ｎ」と同じである。なお、ＩＲｎ＿β、ＩＧｎ＿βおよびＩＢｎ＿βは、前述のＩＲｎ＿α、ＩＧｎ＿αおよびＩＢｎ＿αと同様であるので詳細な説明は繰り返さない。
【００９７】
なお、以下において定義する値に示されるｎは、ＩＲｎ＿αにおける「ｎ」と同様である。すなわち、ｎ＝１が付された値は、マスター装置Ｍａが、特定した値、算出した値等である。また、ｎ＝２が付された値は、スレーブ装置Ｓｂが、特定した値、算出した値等である。また、ｎ＝３が付された値は、スレーブ装置Ｓｃが、特定した値、算出した値等である。また、ｎ＝４が付された値は、スレーブ装置Ｓｄが、特定した値、算出した値等である。
【００９８】
図５の輝度調整処理は、ステップＳ１００Ｍ，Ｓ１００Ｎ，Ｓ１００Ｌを含む。ステップＳ１００Ｍは、マスター装置Ｍａが行うステップである。ステップＳ１００Ｎは、通常モードのスレーブ装置Ｓが行うステップである。ステップＳ１００Ｌは、省電力モードの各スレーブ装置Ｓが行うステップである。
【００９９】
以下に、前述の条件Ａにおける、ステップＳ１００Ｍ，Ｓ１００Ｎ，Ｓ１００Ｌの処理について説明する。
【０１００】
まず、ステップＳ１０では、マスター装置Ｍａのマイコン４３は、自動調整を開始するための命令を、スレーブ装置Ｓｂ，Ｓｃ，Ｓｄへ送信する。
【０１０１】
次に、マスター装置Ｍａのマイコン４３は、初期の制御電流値として、通常モードに対応する、各光源３４の初期設定値Ｉ０＿αをメモリ４４から読み出すことにより、当該初期設定値Ｉ０＿αを取得する（Ｓ２１）。また、通常モードのスレーブ装置Ｓのマイコン４３は、通常モードに対応する、各光源３４の初期設定値Ｉ０＿αをメモリ４４から読み出すことにより、当該初期設定値Ｉ０＿αを取得する（Ｓ２２Ｎ）。
【０１０２】
また、省電力モードの各スレーブ装置Ｓのマイコン４３は、省電力モードに対応する、各光源３４の初期設定値Ｉ０＿βをメモリ４４から読み出すことにより、当該初期設定値Ｉ０＿βを取得する（Ｓ２２Ｌ）。
【０１０３】
なお、初期設定値Ｉ０＿α，Ｉ０＿βは、メモリ４４から取得するとしたがこれに限定されない。初期設定値Ｉ０＿α，Ｉ０＿βは、例えば、マスター装置ＭａからステップＳ１０で送信される命令とともに、各スレーブ装置Ｓに与えられてもよい。
【０１０４】
次に、各投射型映像表示装置１００のマイコン４３は、輝度特定処理（Ｓ３１，Ｓ３２Ｎ，Ｓ３２Ｌ）を行う。すなわち、マスター装置Ｍａおよびスレーブ装置Ｓｂ，Ｓｃ，Ｓｄの各々のマイコン４３は、輝度特定処理を行う。
【０１０５】
輝度特定処理は、各投射型映像表示装置１００のマイコン４３が、当該投射型映像表示装置１００のメモリ４４に記憶されている輝度特性Ｌを使用して、当該投射型映像表示装置１００が出力可能な映像輝度を特定する処理である。すなわち、マスター装置Ｍａおよびスレーブ装置Ｓｂ，Ｓｃ，Ｓｄの各々のマイコン４３は、輝度特定処理により、映像輝度を特定する。ここで、一例として、輝度特定処理（Ｓ３１）において、マスター装置Ｍａのマイコン４３が行う処理について説明する。
【０１０６】
以下においては、Ｉ０＿αに対応する、図４（ａ）の輝度特性ＬＲ１が示す輝度（Ｒ輝度）を、ＹＲ０ｎ＿αとも表記する。また、以下においては、Ｉ０＿αに対応する、図４（ｂ）の輝度特性ＬＧ１が示す輝度（Ｇ輝度）を、ＹＧ０ｎ＿αとも表記する。また、以下においては、Ｉ０＿αに対応する、図４（ｃ）の輝度特性ＬＢ１が示す輝度（Ｂ輝度）を、ＹＢ０ｎ＿αとも表記する。
【０１０７】
また、以下においては、Ｉ０＿βに対応する、図４（ａ）の輝度特性ＬＲ１が示す輝度（Ｒ輝度）を、ＹＲ０ｎ＿βとも表記する。また、以下においては、Ｉ０＿βに対応する、図４（ｂ）の輝度特性ＬＧ１が示す輝度（Ｇ輝度）を、ＹＧ０ｎ＿βとも表記する。また、以下においては、Ｉ０＿βに対応する、図４（ｃ）の輝度特性ＬＢ１が示す輝度（Ｂ輝度）を、ＹＢ０ｎ＿βとも表記する。
【０１０８】
また、以下においては、各設定輝度モード毎に、輝度特性Ｌから特定される、制御電流に対応する輝度を、特性輝度ともいう。すなわち、特性輝度は、輝度特性Ｌから特定される輝度である。また、特性輝度は、投射型映像表示装置１００に設定されている輝度モードに対応する、当該投射型映像表示装置１００が出力可能な映像輝度である。
【０１０９】
輝度特定処理（Ｓ３１）では、マイコン４３が、メモリ４４に記憶されている輝度特性Ｌを使用して、各光源３４の制御電流値に対応する、輝度特性Ｌが示す特性輝度を特定する。
【０１１０】
なお、ステップＳ３１の時点において、各光源３４の制御電流値であるＩＲｎ＿α、ＩＧｎ＿αおよびＩＢｎ＿αは、Ｉ０＿αである。そのため、輝度特定処理では、マイコン４３が、初期の制御電流値に対応する、輝度特性Ｌが示す特性輝度を特定する。
【０１１１】
より具体的には、輝度特定処理（Ｓ３１）では、マスター装置Ｍａのマイコン４３が、メモリ４４に記憶されている輝度特性ＬＲ１を使用して、初期設定値Ｉ０＿αに対応する、輝度特性ＬＲ１が示す特性輝度ＹＲ０ｎ＿αを特定する。また、マイコン４３は、特性輝度ＹＲ０ｎ＿αと同様に、輝度特性ＬＧ１，ＬＢ１を使用して、特性輝度ＹＧ０ｎ＿α，ＹＢ０ｎ＿αを特定する。
【０１１２】
また、輝度特定処理（Ｓ３２Ｎ）では、スレーブ装置Ｓのマイコン４３は、ステップＳ３１と同様に、当該スレーブ装置Ｓにおける特性輝度ＹＲ０ｎ＿α，ＹＧ０ｎ＿α，ＹＢ０ｎ＿αを特定する。
【０１１３】
また、輝度特定処理（Ｓ３２Ｌ）では、各スレーブ装置Ｓのマイコン４３が、初期設定値Ｉ０＿βに対応する、輝度特性ＬＲ１が示す特性輝度ＹＲ０ｎ＿βを特定する。また、マイコン４３は、輝度ＹＲ０ｎ＿βと同様に、輝度特性ＬＧ１，ＬＢ１を使用して、特性輝度ＹＧ０ｎ＿β，ＹＢ０ｎ＿βを特定する。
【０１１４】
次に、ステップＳ４１において、マスター装置Ｍａのマイコン４３は、メモリ４４から輝度モード情報αを読み出す。マイコン４３は、当該輝度モード情報αにより、当該マイコン４３を含む投射型映像表示装置１００（マスター装置Ｍａ）に設定されている輝度モードが、通常モードであることを特定する。なお、ステップＳ４２Ｎでは、スレーブ装置Ｓのマイコン４３が、ステップＳ４１と同様な処理を行う。
【０１１５】
また、ステップＳ４２Ｌでは、各スレーブ装置Ｓのマイコン４３が、メモリ４４から輝度モード情報βを読み出す。当該輝度モード情報βにより、マイコン４３は、当該マイコン４３を含む投射型映像表示装置１００（スレーブ装置Ｓ）に設定されている輝度モードが、省電力モードであることを特定する。
【０１１６】
次に、マスター装置Ｍａのマイコン４３は、要求指示を、スレーブ装置Ｓｂ，Ｓｃ，Ｓｄへ送信する（Ｓ５１）。当該要求指示は、各スレーブ装置Ｓのマイコン４３が得ている、輝度情報およびモード識別子を要求するための指示である。当該輝度情報は、ＹＲ０ｎ＿ｓ、ＹＧ０ｎ＿ｓ、ＹＢ０ｎ＿ｓを示す情報である。
【０１１７】
当該ＹＲ０ｎ＿ｓ、ＹＧ０ｎ＿ｓおよびＹＢ０ｎ＿ｓにおける「ｎ」は、２〜４のいずれかである。また、当該ＹＲ０ｎ＿ｓ、ＹＧ０ｎ＿ｓおよびＹＢ０ｎ＿ｓの「ｓ」は、スレーブ装置Ｓのマイコン４３が読み出した輝度モード情報が示すモード識別子である。例えば、スレーブ装置Ｓのマイコン４３が、輝度モード情報αを読み出した場合、当該ＹＲ０ｎ＿ｓ、ＹＧ０ｎ＿ｓおよびＹＢ０ｎ＿ｓの「ｓ」は、モード識別子「α」である。
【０１１８】
そして、各スレーブ装置Ｓのマイコン４３は、要求指示を受信する（Ｓ５２Ｎ，Ｓ５２Ｌ）。
【０１１９】
次に、通常モードのスレーブ装置Ｓのマイコン４３は、要求指示に従って、特定したＹＲ０ｎ＿α、ＹＧ０ｎ＿αおよびＹＢ０ｎ＿αとモード識別子「α」とを示す輝度情報を、マスター装置Ｍａへ送信する（Ｓ６２Ｎ）。例えば、通常モードのスレーブ装置Ｓｂのマイコン４３は、要求指示に従って、特定したＹＲ０２＿α、ＹＧ０２＿αおよびＹＢ０２＿αとモード識別子「α」とを示す輝度情報を、マスター装置Ｍａへ送信する。
【０１２０】
また、省電力モードの各スレーブ装置Ｓのマイコン４３は、要求指示に従って、特定したＹＲ０ｎ＿β、ＹＧ０ｎ＿βおよびＹＢ０ｎ＿βとモード識別子「β」とを示す輝度情報を、マスター装置Ｍａへ送信する（Ｓ６２Ｌ）。例えば、省電力モードのスレーブ装置Ｓｃのマイコン４３は、要求指示に従って、特定したＹＲ０３＿β、ＹＧ０３＿βおよびＹＢ０３＿βとモード識別子「β」とを示す輝度情報を、マスター装置Ｍａへ送信する。
【０１２１】
そして、マスター装置Ｍａのマイコン４３は、スレーブ装置Ｓｂ，Ｓｃ，Ｓｄから、複数の輝度情報を受信する（Ｓ６１）。
【０１２２】
ステップＳ７０では、目標輝度算出処理が行われる。目標輝度算出処理では、マスター装置Ｍａのマイコン４３が、当該マスター装置Ｍａの特性輝度と、各スレーブ装置Ｓの特性輝度とに基づいて、目標輝度を各輝度モード毎に算出する。すなわち、マスター装置Ｍａのマイコン４３は、目標輝度を算出する算出部である。
【０１２３】
上記のマスター装置Ｍａの特性輝度とは、ｎ＝１である場合における特性輝度ＹＲ０ｎ＿α，ＹＧ０ｎ＿α，ＹＢ０ｎ＿αである。上記の当該スレーブ装置Ｓの特性輝度とは、特性輝度ＹＲ０ｎ＿ｓ，ＹＧ０ｎ＿ｓ，ＹＢ０ｎ＿ｓである。ＹＲ０ｎ＿ｓ、ＹＧ０ｎ＿ｓ、ＹＢ０ｎ＿ｓにおいて、ｎは２〜４のいずれかであり、ｓは、モード識別子であるαまたはβである。
【０１２４】
少し具体的には、目標輝度算出処理では、マスター装置Ｍａのマイコン４３は、マスター装置Ｍａの特性輝度とマスター装置Ｍａの設定輝度モードと、各スレーブ装置Ｓの特性輝度と各スレーブ装置Ｓの設定輝度モードとに基づいて、目標輝度を各輝度モード（設定輝度モード）毎に算出する。
【０１２５】
目標輝度とは、同一の輝度モードの各投射型映像表示装置１００の目標となる輝度である。すなわち、目標輝度とは、同一の輝度モードの複数の投射型映像表示装置１００の各々共通の輝度である。
【０１２６】
以下、具体例をあげつつ、目標輝度算出処理について詳細に説明する。目標輝度算出処理では、まず、マスター装置Ｍａのマイコン４３が、各スレーブ装置Ｓから受信した輝度情報が示すモード識別子により、スレーブ装置Ｓｂ，Ｓｃ，Ｓｄの設定輝度モードを把握する。
【０１２７】
ここで、スレーブ装置Ｓｂの設定輝度モードは、通常モードであり、スレーブ装置Ｓｃ，Ｓｄの設定輝度モードは、省電力モードである。なお、マスター装置Ｍａの設定輝度モードは、通常モードである。
【０１２８】
以下においては、設定輝度モードが通常モードである投射型映像表示装置１００が属するグループを、グループαとも表記する。また、以下においては、設定輝度モードが省電力モードである投射型映像表示装置１００が属するグループを、グループβとも表記する。
【０１２９】
また、以下においては、グループαに属する投射型映像表示装置１００の特性輝度を、Ｙ＿αとも表記する。また、以下においては、グループβに属する投射型映像表示装置１００の特性輝度を、Ｙ＿βとも表記する。
【０１３０】
マスター装置Ｍａのマイコン４３は、グループαに属するマスター装置Ｍａの特性輝度ＹＲ０１＿α，ＹＧ０１＿α，ＹＢ０１＿αと、スレーブ装置Ｓｂから受信した特性輝度ＹＲ０２＿α、ＹＧ０２＿α，ＹＢ０２＿αとを、特性輝度Ｙ＿αと判定する。
【０１３１】
また、マスター装置Ｍａのマイコン４３は、グループβに属するスレーブ装置Ｓｃ，Ｓｄの各々から受信した特性輝度ＹＲ０ｎ＿β，ＹＧ０ｎ＿β，ＹＢ０ｎ＿βを、特性輝度Ｙ＿βと判定する。特性輝度ＹＲ０ｎ＿β，ＹＧ０ｎ＿β，ＹＢ０ｎ＿βにおけるｎは、３または４である。
【０１３２】
次に、同一の輝度モードの各投射型映像表示装置１００の画面１０間の輝度のばらつきを低減するために、マスター装置Ｍａのマイコン４３は、各設定輝度モード毎に、同一の目標輝度を算出する。マイコン４３は、一例として、通常モードおよび省電力モードの各々に対し、異なる目標輝度を算出する。
【０１３３】
以下においては、グループαに属する投射型映像表示装置１００におけるＲ，Ｇ，Ｂの目標輝度を、それぞれ、目標輝度ＹＲＴ＿α，ＹＧＴ＿α，ＹＢＴ＿αとも表記する。目標輝度ＹＲＴ＿αは、Ｒの目標輝度である。目標輝度ＹＧＴ＿αは、Ｇの目標輝度である。目標輝度ＹＢＴ＿αは、Ｂの目標輝度である。
【０１３４】
また、以下においては、グループβに属する投射型映像表示装置１００におけるＲ，Ｇ，Ｂの目標輝度を、それぞれ、目標輝度ＹＲＴ＿β，ＹＧＴ＿β，ＹＢＴ＿βとも表記する。目標輝度ＹＲＴ＿βは、Ｒの目標輝度である。目標輝度ＹＧＴ＿βは、Ｇの目標輝度である。目標輝度ＹＢＴ＿βは、Ｂの目標輝度である。
【０１３５】
また、以下においては、ＹＲＴ＿αおよびＹＲＴ＿βの各々を、ＹＲＴ＿ｓとも表記する。また、以下においては、ＹＧＴ＿αおよびＹＧＴ＿βの各々を、ＹＧＴ＿ｓとも表記する。また、以下においては、ＹＢＴ＿αおよびＹＢＴ＿βの各々を、ＹＢＴ＿ｓとも表記する。ＹＲＴ＿ｓ、ＹＧＴ＿ｓおよびＹＢＴ＿ｓにおける「ｓ」は、モード識別子αまたはβである。
【０１３６】
まず、通常モードに対応するグループαについては、マスター装置Ｍａのマイコン４３は、Ｒ、Ｇ、Ｂの各々において、複数の特性輝度Ｙ＿αのうち、最も小さい値を示す特性輝度Ｙ＿αを、目標輝度として算出する。当該複数の特性輝度Ｙ＿αは、特性輝度ＹＲ０１＿α，ＹＧ０１＿α，ＹＢ０１＿α，ＹＲ０２＿α、ＹＧ０２＿α，ＹＢ０２＿αである。
【０１３７】
例えば、Ｒに対応する目標輝度ＹＲＴ＿αは、ＹＲＴ＿α＝Ｍｉｎ（ＹＲ０１＿α，ＹＲ０２＿α）により算出される。ＹＲＴ＿α＝Ｍｉｎ（ＹＲ０１＿α，ＹＲ０２＿α）は、ＹＲ０１＿αおよびＹＲ０２＿αのうち、最も小さい値を示す特性輝度を、目標輝度ＹＲＴ＿αとして算出する式である。
【０１３８】
また、Ｇに対応する目標輝度ＹＧＴ＿αは、ＹＧＴ＿α＝Ｍｉｎ（ＹＧ０１＿α，ＹＧ０２＿α）により算出される。また、Ｂに対応する目標輝度ＹＢＴ＿αは、ＹＢＴ＿α＝Ｍｉｎ（ＹＢ０１＿α，ＹＢ０２＿α）により算出される。
【０１３９】
複数の特性輝度Ｙ＿αのうち、最も小さい値を示す特性輝度Ｙ＿αを、目標輝度として算出する理由を以下に説明する。ここで、仮に、目標輝度を、最も小さい値以外を示す特性輝度Ｙ＿αとしたとする。この場合、最も映像輝度が下がっている投射型映像表示装置１００の映像輝度は、仮の目標輝度を満たすことができない。そのため、輝度のばらつきが顕著に表れてしまう。よって、必然的にグループαに属する各投射型映像表示装置１００の目標輝度は、最低値を示す特性輝度に合わせることとなる。
【０１４０】
次に、省電力モードに対応するグループβについては、マスター装置Ｍａのマイコン４３は、Ｒ、Ｇ、Ｂの各々において、複数の特性輝度Ｙ＿βのうち、最も大きい値を示す特性輝度Ｙ＿βを、目標輝度として算出する。当該複数の特性輝度Ｙ＿βは、特性輝度ＹＲ０３＿β，ＹＧ０３＿β，ＹＢ０３＿β，ＹＲ０４＿β、ＹＧ０４＿β，ＹＢ０４＿βである。
【０１４１】
Ｒに対応する目標輝度ＹＲＴ＿βは、ＹＲＴ＿β＝Ｍａｘ（ＹＲ０３＿β，ＹＲ０４＿β）により算出される。ＹＲＴ＿β＝Ｍａｘ（ＹＲ０３＿β，ＹＲ０４＿β）は、ＹＲ０３＿βおよびＹＲ０４＿βのうち、最も大きい値を示す特性輝度を、目標輝度ＹＲＴ＿βとして算出する式である。また、Ｇに対応する目標輝度ＹＧＴ＿βは、ＹＧＴ＿β＝Ｍａｘ（ＹＧ０３＿β，ＹＧ０４＿β）により算出される。また、Ｂに対応する目標輝度ＹＢＴ＿βは、ＹＢＴ＿β＝Ｍａｘ（ＹＢ０３＿β，ＹＢ０４＿β）により算出される。
【０１４２】
複数の特性輝度Ｙ＿βのうち、最も大きい値を示す特性輝度Ｙ＿βを、目標輝度として算出する理由を以下に説明する。当該理由は、省電力モード時の初期電流値が、投射型映像表示装置１００を構成する電子回路の制約上、現在の値よりも下げることができない値に設定してあるためである。そのため、グループβに属する各投射型映像表示装置１００の目標輝度は、最高値を示す特性輝度に合わせる必要がある。
【０１４３】
以上により、目標輝度算出処理は終了する。
【０１４４】
次に、ステップＳ８１では、目標輝度送信処理が行われる。目標輝度送信処理では、マスター装置Ｍａのマイコン４３が、算出した目標輝度ＹＲＴ＿ｓ，ＹＧＴ＿ｓ，ＹＢＴ＿ｓを、モード識別子α，βに従って、グループα，βのいずれかに属するスレーブ装置Ｓへ送信する。
【０１４５】
例えば、マイコン４３は、目標輝度ＹＲＴ＿α，ＹＧＴ＿α，ＹＢＴ＿αを、グループαに属するスレーブ装置Ｓｂへ送信する。また、マイコン４３は、目標輝度ＹＲＴ＿β，ＹＧＴ＿β，ＹＢＴ＿βを、グループβに属するスレーブ装置Ｓｃ，Ｓｄへ送信する。
【０１４６】
各スレーブ装置Ｓのマイコン４３は、目標輝度ＹＲＴ＿ｓ，ＹＧＴ＿ｓ，ＹＢＴ＿ｓを受信する（Ｓ８２Ｎ，Ｓ８２Ｌ）。例えば、スレーブ装置Ｓｃのマイコン４３は、目標輝度ＹＲＴ＿β，ＹＧＴ＿β，ＹＢＴ＿βを受信する（Ｓ８２Ｌ）。
【０１４７】
以下においては、目標輝度ＹＲＴ＿αに対応する、図４（ａ）の輝度特性ＬＲ１が示す制御電流値を、ＩＲＴｎ＿αとも表記する。また、以下においては、目標輝度ＹＧＴ＿αに対応する、図４（ｂ）の輝度特性ＬＧ１が示す制御電流値を、ＩＧＴｎ＿αとも表記する。また、以下においては、目標輝度ＹＢＴ＿αに対応する、図４（ｃ）の輝度特性ＬＢ１が示す制御電流値を、ＩＢＴｎ＿αとも表記する。
【０１４８】
また、以下においては、目標輝度ＹＲＴ＿βに対応する、図４（ａ）の輝度特性ＬＲ１が示す制御電流値を、ＩＲＴｎ＿βとも表記する。また、以下においては、目標輝度ＹＧＴ＿βに対応する、図４（ｂ）の輝度特性ＬＧ１が示す制御電流値を、ＩＧＴｎ＿βとも表記する。また、以下においては、目標輝度ＹＢＴ＿βに対応する、図４（ｃ）の輝度特性ＬＢ１が示す制御電流値を、ＩＢＴｎ＿βとも表記する。
【０１４９】
また、以下においては、ＩＲＴｎ＿αおよびＩＲＴｎ＿βの各々を、ＩＲＴｎ＿ｓとも表記する。また、以下においては、ＩＧＴｎ＿αおよびＩＧＴｎ＿βの各々を、ＩＧＴｎ＿ｓとも表記する。また、以下においては、ＩＢＴｎ＿αおよびＩＢＴｎ＿βの各々を、ＩＢＴｎ＿ｓとも表記する。
【０１５０】
ＩＲＴｎ＿ｓ、ＩＧＴｎ＿ｓおよびＩＢＴｎ＿ｓおける「ｎ」は、前述のＩＲｎ＿αの「ｎ」と同様であるので詳細な説明は繰り返さない。ＩＲＴｎ＿ｓ、ＩＧＴｎ＿ｓおよびＩＢＴｎ＿ｓおける「ｓ」は、モード識別子αまたはβである。
【０１５１】
次に、各投射型映像表示装置１００のマイコン４３は、制御電流特定処理（Ｓ９１，Ｓ９２Ｎ，Ｓ９２Ｌ）を行う。すなわち、マスター装置Ｍａおよびスレーブ装置Ｓｂ，Ｓｃ，Ｓｄの各々のマイコン４３は、制御電流特定処理を行う。
【０１５２】
制御電流特定処理は、各投射型映像表示装置１００のマイコン４３が、当該投射型映像表示装置１００のメモリ４４に記憶されている輝度特性Ｌを使用して、制御電流値を特定する処理である。少し具体的には、制御電流特定処理は、各投射型映像表示装置１００が、輝度特性Ｌを使用して、当該投射型映像表示装置１００に設定されている輝度モードに対応して算出された目標輝度に対応する制御電流の値である制御電流値を特定する処理である。具体的には、制御電流特定処理は、各投射型映像表示装置１００が、輝度特性Ｌと受信した目標輝度とを用いて、当該目標輝度に対応する制御電流値を特定する処理である。
【０１５３】
ここで、一例として、制御電流特定処理（Ｓ９１）において、マスター装置Ｍａのマイコン４３が行う処理について説明する。制御電流特定処理（Ｓ９１）では、マイコン４３が、メモリ４４に記憶されている輝度特性ＬＲ１を使用して、目標輝度ＹＲＴ＿αに対応する、輝度特性ＬＲ１が示す制御電流値ＩＲＴ１＿αを特定する。また、マイコン４３は、制御電流値ＩＲＴ１＿αと同様に、輝度特性ＬＧ１，ＬＢ１を使用して、制御電流値ＩＧＴ１＿α，ＩＢＴ１＿αを特定する。
【０１５４】
また、制御電流特定処理（Ｓ９２Ｎ）では、通常モードのスレーブ装置Ｓｂのマイコン４３は、ステップＳ９１と同様に、当該スレーブ装置ＳｂにおけるＩＲＴ２＿α、ＩＧＴ２＿αおよびＩＢＴ２＿αを特定する。
【０１５５】
また、制御電流特定処理（Ｓ９２Ｌ）では、省電力モードの各スレーブ装置Ｓのマイコン４３は、ステップＳ９１と同様に、当該各スレーブ装置ＳにおけるＩＲＴｎ＿β、ＩＧＴｎ＿βおよびＩＢＴｎ＿βを特定する。ＩＧＴｎ＿βおよびＩＢＴｎ＿βにおける「ｎ」は、３または４である。
【０１５６】
次に、各投射型映像表示装置１００のマイコン４３は、電流制御処理（Ｓ９３，Ｓ９４Ｎ，Ｓ９４Ｌ）を行う。すなわち、マスター装置Ｍａおよびスレーブ装置Ｓｂ，Ｓｃ，Ｓｄの各々のマイコン４３は、電流制御処理を行う。
【０１５７】
電流制御処理は、各投射型映像表示装置１００が、特定された、目標となる制御電流値を示す電流を、当該投射型映像表示装置１００の光源３４に供給する処理である。
【０１５８】
ここで、一例として、電流制御処理（Ｓ９３）において、マスター装置Ｍａのマイコン４３が行う処理について説明する。電流制御処理（Ｓ９３）では、マイコン４３が、目標となる、特定された制御電流値ＩＲＴ１＿αを示す電流が、光源３４Ｒに供給されるように、光源ドライバ３５を制御する。当該特定された制御電流値ＩＲＴ１＿αは、目標となる制御電流値、すなわち、目標制御電流値である。
【０１５９】
また、マイコン４３が、目標となる、特定された制御電流値ＩＧＴ１＿αを示す電流が、光源３４Ｇに供給されるように、光源ドライバ３５を制御する。また、マイコン４３が、目標となる、特定された制御電流値ＩＢＴ１＿αを示す電流が、光源３４Ｂに供給されるように、光源ドライバ３５を制御する。
【０１６０】
また、電流制御処理（Ｓ９４Ｎ）では、スレーブ装置Ｓｂのマイコン４３は、ステップＳ９３と同様に、光源ドライバ３５を制御する。
【０１６１】
また、電流制御処理（Ｓ９４Ｌ）では、各スレーブ装置Ｓのマイコン４３が、ステップＳ９３と同様に、光源ドライバ３５を制御する。以下、一例として、スレーブ装置Ｓｃの処理について説明する。
【０１６２】
スレーブ装置Ｓｃのマイコン４３は、目標となる、特定された制御電流値ＩＲＴ１＿βを示す電流が、光源３４Ｒに供給されるように、光源ドライバ３５を制御する。また、マイコン４３は、目標となる、特定された制御電流値ＩＧＴ１＿βを示す電流が、光源３４Ｇに供給されるように、光源ドライバ３５を制御する。また、マイコン４３は、目標となる、特定された制御電流値ＩＢＴ１＿βを示す電流が、光源３４Ｂに供給されるように、光源ドライバ３５を制御する。
【０１６３】
以上の電流制御処理（Ｓ９３，Ｓ９４Ｎ，Ｓ９４Ｌ）により、マスター装置Ｍａおよびスレーブ装置Ｓｂ，Ｓｃ，Ｓｄの各々は、自装置の各光源３４に供給すべき制御電流を、算出された目標輝度に基づいて変更する。そして、ステップＳ１００Ｍ，Ｓ１００Ｎ，Ｓ１００Ｌは終了し、図５の輝度調整処理は終了する。
【０１６４】
なお、上記の説明では、図６（ａ）のように、各投射型映像表示装置に設定される輝度モードにおいて、通常モードと省電力モードとが混在する場合の処理について説明した。なお、マルチ画面表示装置１０００の実際の運用では、図６（ｂ）または図６（ｃ）のように、複数の投射型映像表示装置１００にそれぞれ設定される複数の輝度モードを同じ輝度モードにし、当該複数の投射型映像表示装置１００全ての輝度モードを切替えて運用する場合が多い。
【０１６５】
ここで、図６（ｂ）のように、複数の投射型映像表示装置１００のすべての輝度モードが、省電力モードであるとする。この場合、スレーブ装置Ｓｂ，Ｓｃ，Ｓｄの各々は、図５のステップＳ６２Ｌにおいて、省電力モード時の輝度値およびモード識別子「β」を、マスター装置Ｍａへ送信する。そして、ステップＳ７０以降のステップにて各投射型映像表示装置１００の輝度調整が行われる。
【０１６６】
また、図６（ｃ）のように、複数の投射型映像表示装置１００のすべての輝度モードが、通常モードであるとする。この場合、スレーブ装置Ｓｂ，Ｓｃ，Ｓｄの各々は、図５のステップＳ６２Ｎにおいて、通常モード時の輝度値およびモード識別子「α」を、マスター装置Ｍａへ送信する。そして、ステップＳ７０以降のステップにて各投射型映像表示装置１００の輝度調整が行われる。
【０１６７】
以上説明したように、本実施の形態によれば、マイコン４３は、目標輝度を各輝度モード毎に算出する。各投射型映像表示装置１００は、当該投射型映像表示装置１００に設定されている輝度モードに対応して算出された目標輝度に対応する、目標となる制御電流値を特定する。各投射型映像表示装置１００は、特定された該制御電流値を示す電流を、当該投射型映像表示装置１００の光源３４に供給する。
【０１６８】
これにより、輝度モードに適した光源の制御を行うことができる。したがって、同一の輝度モードが設定されている各投射型映像表示装置における輝度のばらつきを抑制することができる。
【０１６９】
また、本実施の形態では、マルチ画面表示装置１０００において、輝度モードが異なる投射型映像表示装置１００が混在する場合でも、マルチ画面表示装置１０００における各輝度モード毎にグループ分けが行われる。そして、マスター装置Ｍａが、各グループのスレーブ装置Ｓと、目標輝度を送受信することにより、最適な目標輝度を算出する。
【０１７０】
そのため、マルチ画面表示装置１０００において、輝度モードが異なる投射型映像表示装置１００が混在する場合でも、各グループ毎に、投射型映像表示装置１００間の輝度のばらつきを抑制することができる。すなわち、同一の輝度モードの各投射型映像表示装置１００間の輝度のばらつきを抑制することができる。例えば、前述の状況Ａ，Ｂにおいても、同一の輝度モードの各投射型映像表示装置１００間の輝度のばらつきを抑制することができる。その結果、マルチ画面表示装置１０００に表示される映像の一体感を向上させることができる。
【０１７１】
さらに、例えば、図６の（ａ）、（ｂ）、（ｃ）のように、輝度モードの設定パターンを切替えても、マスター装置Ｍａが、輝度モード毎に、当該輝度モードに対応するグループに属する投射型映像表示装置１００の目標輝度の最適値を更新する。これにより、常に、マルチ画面表示装置１０００の出力輝度を均一に保つことができる。
【０１７２】
なお、一般的に、半導体光源を使った投射型映像表示装置においては、半導体光源に供給する電流により出力輝度と消費電力を調整することができる。したがって、マルチ画面表示装置において、例えば、高輝度で表示する投射型映像表示装置のグループと、省電力のために、低輝度で表示するグループとを混在させて運用する場合がある。
【０１７３】
すなわち、グループに分けて、各投射型映像表示装置の運用を行う場合、グループ毎に最適な目標輝度を算出する必要がある。なお、関連技術Ａでは、グループに対応して、目標輝度を算出し、グループに対応したマルチ画面表示装置の輝度調整を行うことはできない。
【０１７４】
一方、本実施の形態に係るマルチ画面表示装置１０００は、上記のような構成を有するため、グループに対応したマルチ画面表示装置の輝度調整を行うことができる。
【０１７５】
また、本実施の形態では、各投射型映像表示装置１００に設定される輝度モードは、通常モード、省電力モードの２種類としたが、これに限定されない。輝度モードは、３種類以上であってもよい。この場合、マイコン４３は、各輝度モード毎の目的を達成するような目標輝度を算出するように構成される。そのため、通常モード、省電力モードとは異なる種類または数の輝度モードが存在する構成も、本発明の及ぶ範囲である。
【０１７６】
なぜなら、本発明の主旨は、同一の投射型映像表示装置１００間の輝度を合わせることだからである。これを実現するために、マイコン４３は、複数の投射型映像表示装置１００のそのとき出力可能な輝度値を、輝度モードごとにグループ分けし、輝度モードの目的に合わせてグループごとの目標輝度を算出する。そして、各投射型映像表示装置１００は、自身の輝度モードに対応する目標輝度を使用して、光源３４の制御電流を調整する。
【０１７７】
なお、本実施の形態では、マスター装置Ｍａのマイコン４３が目標輝度を算出するとしたがこれに限定されない。各投射型映像表示装置１００と通信する外部制御装置６が、マスター装置Ｍａのマイコン４３の代わりに、目標輝度を算出してもよい。すなわち、外部制御装置６は、目標輝度を算出する演算装置である。この場合、外部制御装置６は、図５のステップＳ１００Ｍにおける各処理は、マスター装置Ｍａのマイコン４３の代わりに行う。
【０１７８】
すなわち、外部制御装置６は、各スレーブ装置Ｓから得られる輝度情報を用いて、目標輝度を輝度モード毎に算出する。そして、外部制御装置６は、算出した各輝度モードに対応する目標輝度を、各輝度モードに対応するスレーブ装置Ｓへ送信する。
【０１７９】
以上のように、外部制御装置６が、マイコン４３の代わりに、目標輝度を算出することにより、以下の効果が得られる。具体的には、外部制御装置６が目標輝度を算出するため、マルチ画面表示装置１０００を構成する各投射型映像表示装置１００に、目標輝度を算出する機能をもたせる必要がない。
【０１８０】
そのため、既に、設置済みのマルチ画面表示装置１０００において、投射型映像表示装置１００を改造して、当該投射型映像表示装置１００に目標輝度を算出する機能を持たせる場合より、安価に本発明を実現することが可能となる。
【０１８１】
＜実施の形態２＞
実施の形態１では、同じ輝度モードの複数の投射型映像表示装置１００間の輝度のばらつきを抑制するための処理について説明した。ここで、制御電流値に対応するＬＥＤの色度値（色度特性）は、製造ばらつき等によりＬＥＤごとに異なる。しかも、実施の形態１では、色度を考慮して制御電流値を算出するのもではない。そのため、実施の形態１に係るマルチ画面表示装置１０００では、色度が多少ばらついている可能性がある。
【０１８２】
そこで、本実施の形態に係るマルチ画面表示装置においては、輝度のばらつきだけでなく色度のばらつきも抑制可能とする処理を行う。なお、本実施の形態に係るマルチ画面表示装置は、図１のマルチ画面表示装置１０００である。以下、実施の形態１と異なる処理を中心に説明する。
【０１８３】
本実施の形態では、マイコン４３は、上述の輝度特性ＬＲ１，ＬＧ１，ＬＢ１に加え、色度特性と、映像処理回路４２が使用する、Ｒ，Ｇ，Ｂの各々の輝度および色度を調整するための画質調整値とをさらに含む各種制御データを、メモリ４４に予め記憶させる。色度特性とは、光源３４Ｒ，３４Ｇ，３４Ｂの各々の制御電流値に対応する色度を示す特性である。当該画質調整値の一部は、例えば、前述の式１の補正係数である。マイコン４３は、必要に応じて、メモリ４４の各種制御データを読み出す。
【０１８４】
以下においては、投射型映像表示装置１００が光源３４から出射される光を使用して表示する映像の色度を、映像色度ともいう。映像色度は、画面１０に表示される映像の色度である。
【０１８５】
また、以下においては、前述の制御電流値ＩＲＴｎ＿ｓ、ＩＧＴｎ＿ｓおよびＩＢＴｎ＿ｓを、それぞれ、単に、制御電流値ＩＲＴ、ＩＧＴおよびＩＢＴとも表記する。
【０１８６】
本実施の形態では、各投射型映像表示装置１００は、工場から出荷される前に、前述の特性算出工程を行う。これにより、各投射型映像表示装置１００のメモリ４４は、当該投射型映像表示装置１００に対応した輝度特性ＬＲ１，ＬＧ１，ＬＢ１が記憶される。
【０１８７】
また、各投射型映像表示装置１００は、工場から出荷される前に、さらに、特性算出工程Ａを行う。特性算出工程Ａでは、投射型映像表示装置１００は、Ｒ、Ｇ、Ｂごとに、各光源３４に供給される制御電流を徐々に変更し、その際における映像色度を測定する。これにより、投射型映像表示装置１００は、光源３４の制御電流と、当該制御電流に対応する映像色度との関係を示す色度特性を算出する。
【０１８８】
図７は、色度特性の一例を示す図である。具体的には、図７は、ＣＩＥ−ＸＹＺ表色系におけるｘｙ色度図の色度座標を示す。
【０１８９】
図７において、ｘ，ｙは色度を示している。また、図７は、色度特性ＣＲ１，ＣＧ１，ＣＢ１を示す。色度特性ＣＲ１は、制御電流値ＩＲＴに対応する色度を示す特性である。色度特性ＣＧ１は、制御電流値ＩＧＴに対応する色度を示す特性である。色度特性ＣＢ１は、制御電流値ＩＢＴに対応する色度を示す特性である。すなわち、色度特性ＣＲ１，ＣＧ１，ＣＢ１の各々は、制御電流値に対応する色度を示す電流色度特性である。
【０１９０】
具体的には、特性算出工程Ａでは、投射型映像表示装置１００は、色度特性ＣＲ１，ＣＧ１，ＣＢ１を算出する。そして、投射型映像表示装置１００は、色度特性ＣＲ１，ＣＧ１，ＣＢ１を、当該投射型映像表示装置１００のメモリ４４に記憶させる。すなわち、各投射型映像表示装置１００のメモリ４４は、当該投射型映像表示装置１００に対応した色度特性ＣＲ１，ＣＧ１，ＣＢ１を記憶する。以下においては、色度特性ＣＲ１，ＣＧ１，ＣＢ１の各々を、単に、色度特性Ｃとも表記する。
【０１９１】
次に、マルチ画面表示装置１０００が、各投射型映像表示装置１００の輝度モードを考慮して、輝度および色度を自動的に調整するための処理（以下、輝度色度調整処理ともいう）を行う。輝度色度調整処理は、同一の輝度モードの各投射型映像表示装置１００間の輝度及び色度のばらつきを抑制するための処理である。輝度色度調整処理は、例えば、マルチ画面表示装置１０００が初めて使用される際に行われる。また、輝度色度調整処理は、例えば、マルチ画面表示装置１０００の設置時に行われる。
【０１９２】
図８は、輝度色度調整処理のフローチャートである。図８において、図５のステップ番号と同じステップ番号の処理は、実施の形態１で説明した処理と同様な処理が行われるので詳細な説明は繰り返さない。以下、実施の形態１と異なる点を中心に説明する。
【０１９３】
まず、前述の条件Ａにおける輝度色度調整処理について説明する。条件Ａでは、前述したように、図６（ａ）のように、マスター装置Ｍａ（投射型映像表示装置１００ａ）およびスレーブ装置Ｓｂ（投射型映像表示装置１００ｂ）には、輝度モードとして、通常モードが設定されているとする。また、スレーブ装置Ｓｃ（投射型映像表示装置１００ｃ），スレーブ装置Ｓｄ（投射型映像表示装置１００ｄ）には、輝度モードとして、省電力モードが設定されているとする。
【０１９４】
図８の輝度調整処理は、ステップＳ１０２Ｍ，Ｓ１０２Ｎ，Ｓ１０２Ｌを含む。ステップＳ１０２Ｍは、マスター装置Ｍａが行うステップである。ステップＳ１０２Ｎは、通常モードのスレーブ装置Ｓが行うステップである。ステップＳ１０２Ｌは、省電力モードの各スレーブ装置Ｓが行うステップである。
【０１９５】
まず、図８のステップＳ１０〜Ｓ９３、ステップＳ２２Ｎ〜Ｓ９４Ｎ、ステップＳ２２Ｌ〜Ｓ９４Ｎでは、実施の形態１と同様な処理が行われる。
【０１９６】
以下においては、前述の制御電流値ＩＲＴｎ＿αに対応する、図７の色度特性ＣＲ１が示す色度値を、ｘＲ０ｎ＿α，ｙＲ０ｎ＿αとも表記する。また、以下においては、前述の制御電流値ＩＧＴｎ＿αに対応する、色度特性ＣＧ１が示す色度値を、ｘＧ０ｎ＿α，ｙＧ０ｎ＿αとも表記する。また、以下においては、前述の制御電流値ＩＢＴｎ＿αに対応する、色度特性ＣＢ１が示す色度値を、ｘＢ０ｎ＿α，ｙＢ０ｎ＿αとも表記する。
【０１９７】
また、以下においては、前述の制御電流値ＩＲＴｎ＿βに対応する、色度特性ＣＲ１が示す色度値を、ｘＲ０ｎ＿β，ｙＲ０ｎ＿βとも表記する。また、以下においては、前述の制御電流値ＩＧＴｎ＿αに対応する、色度特性ＣＧ１が示す色度値を、ｘＧ０ｎ＿β，ｙＧ０ｎ＿βとも表記する。また、以下においては、前述の制御電流値ＩＢＴｎ＿αに対応する、色度特性ＣＢ１が示す色度値を、ｘＢ０ｎ＿β，ｙＢ０ｎ＿βとも表記する。
【０１９８】
また、以下においては、ｘＲ０ｎ＿αおよびｘＲ０ｎ＿βの各々を、ｘＲ０ｎ＿ｓとも表記する。また、以下においては、ｘＧ０ｎ＿αおよびｘＧ０ｎ＿βの各々を、ｘＧ０ｎ＿ｓとも表記する。また、以下においては、ｘＢ０ｎ＿αおよびｘＢ０ｎ＿βの各々を、ｘＢ０ｎ＿ｓとも表記する。
【０１９９】
また、以下においては、ｙＲ０ｎ＿αおよびｙＲ０ｎ＿βの各々を、ｙＲ０ｎ＿ｓとも表記する。また、以下においては、ｙＧ０ｎ＿αおよびｙＧ０ｎ＿βの各々を、ｙＧ０ｎ＿ｓとも表記する。また、以下においては、ｙＢ０ｎ＿αおよびｙＢ０ｎ＿βの各々を、ｙＢ０ｎ＿ｓとも表記する。
【０２００】
ｘＲ０ｎ＿ｓ、ｘＧ０ｎ＿ｓ、ｘＢ０ｎ＿ｓ、ｙＲ０ｎ＿ｓ、ｙＧ０ｎ＿ｓおよびｙＢ０ｎ＿ｓにおける「ｎ」は、前述のＩＲｎ＿αの「ｎ」と同様であるので詳細な説明は繰り返さない。ｘＲ０ｎ＿ｓ、ｘＧ０ｎ＿ｓ、ｘＢ０ｎ＿ｓ、ｙＲ０ｎ＿ｓ、ｙＧ０ｎ＿ｓおよびｙＢ０ｎ＿ｓにおける「ｓ」は、モード識別子αまたはβである。
【０２０１】
次に、各投射型映像表示装置１００のマイコン４３は、色度特定処理（Ｓ１２０，Ｓ１２０Ｎ，Ｓ１２０Ｌ）を行う。すなわち、マスター装置Ｍａおよびスレーブ装置Ｓｂ，Ｓｃ，Ｓｄの各々のマイコン４３は、色度特定処理を行う。
【０２０２】
色度特定処理は、各投射型映像表示装置１００のマイコン４３が、当該投射型映像表示装置１００のメモリ４４に記憶されている色度特性Ｃを使用して、色度を特定する処理である。
【０２０３】
ここで、一例として、色度特定処理（Ｓ１２０）において、マスター装置Ｍａのマイコン４３が行う処理について説明する。色度特定処理（Ｓ１２０）では、マイコン４３が、メモリ４４に記憶されている色度特性ＣＲ１を使用して、制御電流値ＩＲＴｎ＿αに対応する、色度特性ＣＲ１が示す色度値ｘＲ０ｎ＿α，ｙＲ０ｎ＿αを特定する。また、マイコン４３は、色度値ｘＲ０ｎ＿α，ｙＲ０ｎ＿αと同様に、色度特性ＣＧ１，ＣＢ１輝度特性ＬＧ１，ＬＢ１を使用して、色度値ｘＧ０ｎ＿α，ｙＧ０ｎ＿α，ｘＢ０ｎ＿α，ｙＢ０ｎ＿αを特定する。
【０２０４】
また、色度特定処理（Ｓ１２０Ｎ）では、通常モードのスレーブ装置Ｓｂのマイコン４３は、ステップＳ１２０と同様に、当該スレーブ装置Ｓｂにおける色度値ｘＧ０２＿α，ｙＧ０２＿α，ｘＢ０２＿α，ｙＢ０２＿αを特定する。
【０２０５】
また、色度特定処理（Ｓ１２０Ｌ）では、省電力モードの各スレーブ装置Ｓのマイコン４３は、ステップＳ１２０と同様に、当該各スレーブ装置Ｓにおける色度値ｘＲ０ｎ＿β，ｙＲ０ｎ＿β，ｘＧ０ｎ＿β，ｙＧ０ｎ＿β，ｘＢ０ｎ＿β，ｙＢ０ｎ＿βを特定する。色度値ｘＲ０ｎ＿β，ｙＲ０ｎ＿β，ｘＧ０ｎ＿β，ｙＧ０ｎ＿β，ｘＢ０ｎ＿β，ｙＢ０ｎ＿βにおける「ｎ」は、３または４である。
【０２０６】
次に、マスター装置Ｍａのマイコン４３は、要求指示Ａを、スレーブ装置Ｓｂ，Ｓｃ，Ｓｄへ送信する（Ｓ１２１）。当該要求指示Ａは、各スレーブ装置Ｓのマイコン４３が得ている、色度情報およびモード識別子を要求するための指示である。当該要求指示Ａは、各スレーブ装置Ｓのマイコン４３が得ている、色度情報およびモード識別子を要求するための指示である。当該色度情報は、各スレーブ装置Ｓの設定輝度モードに対応する色度値ｘＲ０ｎ＿ｓ，ｘＧ０ｎ＿ｓ，ｘＢ０ｎ＿ｓ，ｙＲ０ｎ＿ｓ，ｙＧ０ｎ＿ｓ，ｙＢ０ｎ＿ｓを示す情報である。
【０２０７】
そして、各スレーブ装置Ｓのマイコン４３は、要求指示Ａを受信する（Ｓ１２１Ｎ，Ｓ１２１Ｌ）。
【０２０８】
次に、通常モードのスレーブ装置Ｓのマイコン４３は、要求指示Ａに従って、特定した色度値ｘＲ０ｎ＿α、ｘＧ０ｎ＿α、ｘＢ０ｎ＿α、ｙＲ０ｎ＿α、ｙＧ０ｎ＿α，ｙＢ０ｎ＿αとモード識別子「α」とを示す色度情報を、マスター装置Ｍａへ送信する（Ｓ１２２Ｎ）。
【０２０９】
また、省電力モードの各スレーブ装置Ｓのマイコン４３は、要求指示Ａに従って、特定した色度値ｘＲ０ｎ＿β、ｘＧ０ｎ＿β、ｘＢ０ｎ＿β、ｙＲ０ｎ＿β、ｙＧ０ｎ＿β，ｙＢ０ｎ＿βとモード識別子「β」とを示す色度情報を、マスター装置Ｍａへ送信する（Ｓ１２２Ｌ）。例えば、省電力モードのスレーブ装置Ｓｃのマイコン４３は、要求指示Ａに従って、特定した色度値ｘＲ０３＿β、ｘＧ０３＿β、ｘＢ０３＿β、ｙＲ０３＿β、ｙＧ０３＿β，ｙＢ０３＿βとモード識別子「β」とを示す色度情報を、マスター装置Ｍａへ送信する。
【０２１０】
そして、マスター装置Ｍａのマイコン４３は、スレーブ装置Ｓｂ，Ｓｃ，Ｓｄから、複数の色度情報を受信する（Ｓ１２２）。
【０２１１】
以下においては、前述の制御電流特定処理においてマイコン４３が特定した制御電流値に対応する色度値（色度）を、特定色度ともいう。特定色度は、マスター装置Ｍａまたはスレーブ装置Ｓのマイコン４３が、前述の色度特定処理において特定した色度である。すなわち、特定色度は、制御電流特定処理において特定された制御電流値ＩＲＴｎ＿ｓ，ＩＧＴｎ＿ｓ，ＩＢＴｎ＿ｓに対応する色度値（色度）である。当該特定色度は、ｘＲ０ｎ＿ｓ、ｘＧ０ｎ＿ｓ、ｘＢ０ｎ＿ｓ、ｙＲ０ｎ＿ｓ、ｙＧ０ｎ＿ｓおよびｙＢ０ｎ＿ｓである。
【０２１２】
ステップＳ１２３では、目標色度算出処理が行われる。目標色度算出処理では、詳細は後述するが、マスター装置Ｍａのマイコン４３が、当該マスター装置Ｍａが特定した特定色度と、マスター装置Ｍａに設定されている輝度モードと、各スレーブ装置Ｓが特定した特定色度と、各スレーブ装置Ｓに設定されている前記輝度モードとに基づいて、目標色度を各輝度モード毎に算出する。目標色度とは、同一の輝度モードの各投射型映像表示装置１００の目標となる色度である。すなわち、目標色度とは、同一の輝度モードの複数の投射型映像表示装置１００の各々が再現可能な共通の色度である。
【０２１３】
以下においては、ｘｙ色度図の色度座標において、色度値ｘＲ０１＿α，ｙＲ０１＿αと、色度値ｘＧ０１＿α，ｙＧ０１＿αと、色度値ｘＢ０１＿α，ｙＢ０１＿αとを頂点とした三角形を、色度特性ＣＬ１とも表記する（図９（ａ）参照）。色度特性ＣＬ１は、マスター装置Ｍａが特定した各色度値により構成される。
【０２１４】
また、以下においては、ｘｙ色度図の色度座標において、色度値ｘＲ０２＿α，ｙＲ０２＿αと、色度値ｘＧ０２＿α，ｙＧ０２＿αと、色度値ｘＢ０２＿α，ｙＢ０２＿αとを頂点とした三角形を、色度特性ＣＬ２とも表記する（図９（ａ）参照）。色度特性ＣＬ２は、スレーブ装置Ｓｂが特定した各色度値により構成される。
【０２１５】
また、以下においては、ｘｙ色度図の色度座標において、色度値ｘＲ０３＿β，ｙＲ０３＿βと、色度値ｘＧ０３＿β，ｙＧ０３＿βと、色度値ｘＢ０３＿β，ｙＢ０３＿βとを頂点とした三角形を、色度特性ＣＬ３とも表記する（図９（ｂ）参照）。色度特性ＣＬ３は、スレーブ装置Ｓｃが特定した各色度値により構成される。
【０２１６】
また、以下においては、ｘｙ色度図の色度座標において、色度値ｘＲ０４＿β，ｙＲ０４＿βと、色度値ｘＧ０４＿β，ｙＧ０４＿βと、色度値ｘＢ０４＿β，ｙＢ０４＿βとを頂点とした三角形を、色度特性ＣＬ４とも表記する（図９（ｂ）参照）。色度特性ＣＬ４は、スレーブ装置Ｓｄが特定した各色度値により構成される。以下においては、色度特性ＣＬ１，ＣＬ２，ＣＬ３，ＣＬ４の各々を、単に、色度特性ＣＬともいう。
【０２１７】
以下においては、通常モード（グループα）に対応する目標色度を、目標色度ｘＲＴ＿α，ｙＲＴ＿α，ｘＧＴ＿α，ｙＧＴ＿α，ｘＢＴ＿α，ｙＢＴ＿αとも表記する。また、以下においては、省電力モード（グループβ）に対応する目標色度を、目標色度ｘＲＴ＿β，ｙＲＴ＿β，ｘＧＴ＿β，ｙＧＴ＿β，ｘＢＴ＿β，ｙＢＴ＿βとも表記する。
【０２１８】
また、以下においては、目標色度ｘＲＴ＿α，ｘＲＴ＿βの各々を、ｘＲＴ＿ｓとも表記する。また、以下においては、目標色度ｘＧＴ＿α，ｘＧＴ＿βの各々を、ｘＧＴ＿ｓとも表記する。また、以下においては、目標色度ｘＢＴ＿α，ｘＢＴ＿βの各々を、ｘＢＴ＿ｓとも表記する。
【０２１９】
また、以下においては、目標色度ｙＲＴ＿α，ｙＲＴ＿βの各々を、ｙＲＴ＿ｓとも表記する。また、以下においては、目標色度ｙＧＴ＿α，ｙＧＴ＿βの各々を、ｙＧＴ＿ｓとも表記する。また、以下においては、目標色度ｙＢＴ＿α，ｙＢＴ＿βの各々を、ｙＢＴ＿ｓとも表記する。
【０２２０】
ｘＲＴ＿ｓ、ｘＧＴ＿ｓ、ｘＢＴ＿ｓ、ｙＲＴ＿ｓ、ｙＧＴ＿ｓ、ｙＢＴ＿ｓにおける「ｓ」は、モード識別子αまたはβである。
【０２２１】
また、以下においては、通常モードに対応する目標色度を、通常目標色度ともいう。また、以下においては、省電力モードに対応する目標色度を、省電力目標色度ともいう。
【０２２２】
次に、目標色度算出処理において、各輝度モード毎に目標色度を算出するための方法について説明する。図９は、目標色度を算出するための方法を説明するための図である。また、図９は、ｘｙ色度図の色度座標において各色度特性ＣＬを示した図である。図９（ａ）は、色度特性ＣＬ１，ＣＬ２を示す。図９（ｂ）は、色度特性ＣＬ３，ＣＬ４を示す。
【０２２３】
目標色度算出処理では、マスター装置Ｍａのマイコン４３が、複数の三角形（色度特性ＣＬ）が重なる領域内であって、かつ、当該各三角形の頂点に近い３点の色度を、目標色度として算出する。言い換えれば、各色度特性ＣＬ（三角形）の３つの頂点付近の各々において各色度特性ＣＬが交わる１以上の点のうち白の色度に最も近い点の色度を、目標色度として算出する。
【０２２４】
まず、通常目標色度の算出について説明する。図９（ａ）を参照して、マイコン４３は、色度特性ＣＬ１，ＣＬ２の各々の３つの頂点付近の各々において、色度特性ＣＬ１，ＣＬ２が交わる点の色度を、目標色度ｘＲＴ＿α，ｙＲＴ＿α、目標色度ｘＧＴ＿α，ｙＧＴ＿α、目標色度ｘＢＴ＿α，ｙＢＴ＿αとして算出する。
【０２２５】
例えば、マイコン４３は、色度特性ＣＬ１，ＣＬ２の各々のＲ（赤）に近い頂点付近において、色度特性ＣＬ１，ＣＬ２が交わる点の色度を、通常目標色度である目標色度（ｘＲＴ＿α，ｙＲＴ＿α）として算出する。
【０２２６】
次に、省電力目標色度の算出について説明する。図９（ｂ）を参照して、マイコン４３は、色度特性ＣＬ３，ＣＬ４の各々の３つの頂点付近の各々において、色度特性ＣＬ３，ＣＬ４が交わる点の色度を、目標色度ｘＲＴ＿β，ｙＲＴ＿β、目標色度ｘＧＴ＿β，ｙＧＴ＿β、目標色度ｘＢＴ＿β，ｙＢＴ＿βとして算出する。
【０２２７】
例えば、マイコン４３は、色度特性ＣＬ３，ＣＬ４の各々のＲ（赤）に近い頂点付近において、色度特性ＣＬ３，ＣＬ４が交わる点の色度を、省電力目標色度である目標色度（ｘＲＴ＿β，ｙＲＴ＿β）として算出する。以上により、各輝度モード毎に目標色度が算出される。
【０２２８】
次に、ステップＳ１２４では、目標色度送信処理が行われる。目標色度送信処理では、マスター装置Ｍａのマイコン４３が、算出した目標色度ｘＲＴ＿ｓ、ｘＧＴ＿ｓ、ｘＢＴ＿ｓ、ｙＲＴ＿ｓ、ｙＧＴ＿ｓ、ｙＢＴ＿ｓを、モード識別子α，βに従って、グループα，βのいずれかに属するスレーブ装置Ｓへ送信する。
【０２２９】
例えば、マイコン４３は、目標色度ｘＲＴ＿α，ｘＧＴ＿α，ｘＢＴ＿α，ｙＲＴ＿α，ｙＧＴ＿α，ｙＢＴ＿αを、グループαに属するスレーブ装置Ｓｂへ送信する。また、マイコン４３は、目標色度ｘＲＴ＿β，ｘＧＴ＿β，ｘＢＴ＿β，ｙＲＴ＿β，ｙＧＴ＿β，ｙＢＴ＿βを、グループβに属するスレーブ装置Ｓｃ，Ｓｄへ送信する。
【０２３０】
各スレーブ装置Ｓのマイコン４３は、目標色度ｘＲＴ＿ｓ、ｘＧＴ＿ｓ、ｘＢＴ＿ｓ、ｙＲＴ＿ｓ、ｙＧＴ＿ｓ、ｙＢＴ＿ｓを受信する（Ｓ１２４Ｎ，Ｓ１２４Ｌ）。スレーブ装置Ｓｂのマイコン４３は、目標色度ｘＲＴ＿α，ｘＧＴ＿α，ｘＢＴ＿α，ｙＲＴ＿α，ｙＧＴ＿α，ｙＢＴ＿αを受信する（Ｓ１２４Ｎ）。また、グループβに属する各スレーブ装置Ｓのマイコン４３は、目標色度ｘＲＴ＿β，ｘＧＴ＿β，ｘＢＴ＿β，ｙＲＴ＿β，ｙＧＴ＿β，ｙＢＴ＿βを受信する（Ｓ１２４Ｌ）。
【０２３１】
次に、各投射型映像表示装置１００のマイコン４３は、演算処理Ｋ（Ｓ１２５，Ｓ１２５Ｎ，Ｓ１２５Ｌ）を行う。すなわち、マスター装置Ｍａおよびスレーブ装置Ｓｂ，Ｓｃ，Ｓｄの各々のマイコン４３は、演算処理Ｋを行う。
【０２３２】
以下においては、グループαに対応し、かつ、Ｒに対応する刺激値を、ＸＲ０ｎ＿α，ＺＲ０ｎ＿αとも表記する。また、以下においては、グループαに対応し、かつ、Ｇに対応する刺激値を、ＸＧ０ｎ＿α，ＺＧ０ｎ＿αとも表記する。また、以下においては、グループαに対応し、かつ、Ｂに対応する刺激値を、ＸＢ０ｎ＿α，ＺＢ０ｎ＿αとも表記する。
【０２３３】
また、以下においては、グループβに対応し、かつ、Ｒに対応する刺激値を、ＸＲ０ｎ＿β，ＺＲ０ｎ＿βとも表記する。また、以下においては、グループβに対応し、かつ、Ｇに対応する刺激値を、ＸＧ０ｎ＿β，ＺＧ０ｎ＿βとも表記する。また、以下においては、グループβに対応し、かつ、Ｂに対応する刺激値を、ＸＢ０ｎ＿β，ＺＢ０ｎ＿βとも表記する。
【０２３４】
また、以下においては、ＸＲ０ｎ＿α、ＸＲ０ｎ＿βの各々を、ＸＲ０ｎ＿ｓとも表記する。また、以下においては、ＸＧ０ｎ＿α、ＸＧ０ｎ＿βの各々を、ＸＧ０ｎ＿ｓとも表記する。また、以下においては、ＸＢ０ｎ＿α、ＸＢ０ｎ＿βの各々を、ＸＢ０ｎ＿ｓとも表記する。
【０２３５】
また、以下においては、ＺＲ０ｎ＿α，ＺＲ０ｎ＿βの各々を、ＺＲ０ｎ＿ｓとも表記する。また、以下においては、ＺＧ０ｎ＿α，ＺＧ０ｎ＿βの各々を、ＺＧ０ｎ＿ｓとも表記する。また、以下においては、ＺＢ０ｎ＿α，ＺＢ０ｎ＿βの各々を、ＺＢ０ｎ＿ｓとも表記する。
【０２３６】
ＸＲ０ｎ＿ｓ、ＸＧ０ｎ＿ｓ、ＸＢ０ｎ＿ｓ、ＺＲ０ｎ＿ｓ、ＺＧ０ｎ＿ｓおよびＺＢ０ｎ＿ｓにおける「ｎ」は、前述のＩＲｎ＿αの「ｎ」と同様であるので詳細な説明は繰り返さない。また、ＸＲ０ｎ＿ｓ、ＸＧ０ｎ＿ｓ、ＸＢ０ｎ＿ｓ、ＺＲ０ｎ＿ｓ、ＺＧ０ｎ＿ｓおよびＺＢ０ｎ＿ｓにおける「ｓ」は、モード識別子αまたはβである。
【０２３７】
演算処理Ｋでは、Ｒ，Ｇ，Ｂの各々の３刺激値である、ＸＲ０ｎ＿ｓ、ＸＧ０ｎ＿ｓ、ＸＢ０ｎ＿ｓ、ＺＲ０ｎ＿ｓ、ＺＧ０ｎ＿ｓおよびＺＢ０ｎ＿ｓが、輝度モード毎に算出される。少し具体的には、演算処理Ｋでは、ステップＳ７０で算出された目標輝度ＹＲＴ＿ｓ，ＹＧＴ＿ｓ，ＹＢＴ＿ｓと、色度特定処理で特定された色度値ｘＲ０ｎ＿ｓ，ｘＧ０ｎ＿ｓ，ｘＢ０ｎ＿ｓ，ｙＲ０ｎ＿ｓ，ｙＧ０ｎ＿ｓ，ｙＢ０ｎ＿ｓとが、以下の式２に代入される。これにより、輝度モード毎に、ＸＲ０ｎ＿ｓ、ＸＧ０ｎ＿ｓ、ＸＢ０ｎ＿ｓ、ＺＲ０ｎ＿ｓ、ＺＧ０ｎ＿ｓおよびＺＢ０ｎ＿ｓが算出される。
【０２３８】
【数２】
2015099297.tif 000004
【０２３９】
ここで、一例として、演算処理Ｋ（Ｓ１２５）において、マスター装置Ｍａのマイコン４３が行う処理について説明する。演算処理Ｋ（Ｓ１２５）では、マスター装置Ｍａのマイコン４３が、ステップＳ７０で算出された目標輝度ＹＲＴ＿α，ＹＧＴ＿α，ＹＢＴ＿αと、色度値ｘＲ０ｎ＿α，ｘＧ０ｎ＿α，ｘＢ０ｎ＿α，ｙＲ０ｎ＿α，ｙＧ０ｎ＿α，ｙＢ０ｎ＿αとを、式２に代入する。これにより、マイコン４３は、通常モード（グループα）に対応するＸＲ０ｎ＿α、ＸＧ０ｎ＿α、ＸＢ０ｎ＿α、ＺＲ０ｎ＿α、ＺＧ０ｎ＿αおよびＺＢ０ｎ＿αを算出する。
【０２４０】
また、演算処理Ｋ（Ｓ１２５Ｎ）では、通常モードのスレーブ装置Ｓｂのマイコン４３は、ステップＳ１２５と同様に、ＸＲ０ｎ＿α、ＸＧ０ｎ＿α、ＸＢ０ｎ＿α、ＺＲ０ｎ＿α、ＺＧ０ｎ＿αおよびＺＢ０ｎ＿αを算出する。
【０２４１】
また、演算処理Ｋ（Ｓ１２５Ｌ）では、省電力モードの各スレーブ装置Ｓのマイコン４３は、ステップＳ１２５と同様に、ＸＲ０ｎ＿β、ＸＧ０ｎ＿β、ＸＢ０ｎ＿β、ＺＲ０ｎ＿β、ＺＧ０ｎ＿βおよびＺＢ０ｎ＿βを算出する。
【０２４２】
以下においては、グループαに対応し、かつ、Ｒに対応する目標となる刺激値を、ＸＲＴ＿α，ＺＲＴ＿αとも表記する。また、以下においては、グループαに対応し、かつ、Ｇに対応する目標となる刺激値を、ＸＧＴ＿α，ＺＧＴ＿αとも表記する。また、以下においては、グループαに対応し、かつ、Ｂに対応する目標となる刺激値を、ＸＢＴ＿α，ＺＢＴ＿αとも表記する。
【０２４３】
また、以下においては、グループβに対応し、かつ、Ｒに対応する目標となる刺激値を、ＸＲＴ＿β，ＺＲＴ＿βとも表記する。また、以下においては、グループβに対応し、かつ、Ｇに対応する目標となる刺激値を、ＸＧＴ＿β，ＺＧＴ＿βとも表記する。また、以下においては、グループβに対応し、かつ、Ｂに対応する目標となる刺激値を、ＸＢＴ＿β，ＺＢＴ＿βとも表記する。
【０２４４】
また、以下においては、ＸＲＴ＿αおよびＸＲＴ＿βの各々を、ＸＲＴ＿ｓとも表記する。また、以下においては、ＸＧＴ＿αおよびＸＧＴ＿βの各々を、ＸＧＴ＿ｓとも表記する。また、以下においては、ＸＢＴ＿αおよびＸＢＴ＿βの各々を、ＸＢＴ＿ｓとも表記する。
【０２４５】
また、以下においては、ＺＲＴ＿αおよびＺＲＴ＿βの各々を、ＺＲＴ＿ｓとも表記する。また、以下においては、ＺＧＴ＿αおよびＺＧＴ＿βの各々を、ＺＧＴ＿ｓとも表記する。また、以下においては、ＺＢＴ＿αおよびＺＢＴ＿βの各々を、ＺＢＴ＿ｓとも表記する。
【０２４６】
ＸＲＴ＿ｓ、ＺＲＴ＿ｓ、ＸＧＴ＿ｓ、ＺＧＴ＿ｓ、ＸＢＴ＿ｓおよびＺＢＴ＿ｓにおける「ｓ」は、モード識別子αまたはβである。
【０２４７】
また、演算処理Ｋでは、さらに、目標となる、Ｒ，Ｇ，Ｂの各々の３刺激値である、ＸＲＴ＿ｓ、ＺＲＴ＿ｓ、ＸＧＴ＿ｓ、ＺＧＴ＿ｓ、ＸＢＴ＿ｓおよびＺＢＴ＿ｓが、輝度モード毎に算出される。
【０２４８】
少し具体的には、演算処理Ｋでは、ステップＳ７０で算出された目標輝度ＹＲＴ＿ｓ，ＹＧＴ＿ｓ，ＹＢＴ＿ｓと、ステップＳ１２３で算出された目標色度ｘＲＴ＿ｓ，ｘＧＴ＿ｓ，ｘＢＴ＿ｓ，ｙＲＴ＿ｓ，ｙＧＴ＿ｓ，ｙＢＴ＿ｓとが、以下の式３に代入される。これにより、輝度モード毎に、ＸＲＴ＿ｓ、ＺＲＴ＿ｓ、ＸＧＴ＿ｓ、ＺＧＴ＿ｓ、ＸＢＴ＿ｓおよびＺＢＴ＿ｓが算出される。
【０２４９】
【数３】
2015099297.tif 000005
【０２５０】
ここで、一例として、演算処理Ｋ（Ｓ１２５）において、マスター装置Ｍａのマイコン４３が行う処理について説明する。演算処理Ｋ（Ｓ１２５）では、マスター装置Ｍａのマイコン４３が、目標輝度ＹＲＴ＿α，ＹＧＴ＿α，ＹＢＴ＿αと、目標色度ｘＲＴ＿α，ｘＧＴ＿α，ｘＢＴ＿α，ｙＲＴ＿α，ｙＧＴ＿α，ｙＢＴ＿αとを、式３に代入する。これにより、マイコン４３は、通常モード（グループα）に対応するＸＲＴ＿α、ＺＲＴ＿α、ＸＧＴ＿α、ＺＧＴ＿α、ＸＢＴ＿αおよびＺＢＴ＿αを算出する。
【０２５１】
また、演算処理Ｋ（Ｓ１２５Ｎ）では、通常モードのスレーブ装置Ｓｂのマイコン４３は、ステップＳ１２５と同様に、ＸＲＴ＿α、ＺＲＴ＿α、ＸＧＴ＿α、ＺＧＴ＿α、ＸＢＴ＿αおよびＺＢＴ＿αを算出する。
【０２５２】
また、演算処理Ｋ（Ｓ１２５Ｌ）では、省電力モードの各スレーブ装置Ｓのマイコン４３は、ステップＳ１２５と同様に、ＸＲＴ＿β、ＺＲＴ＿β、ＸＧＴ＿β、ＺＧＴ＿β、ＸＢＴ＿βおよびＺＢＴ＿βを算出する。
【０２５３】
以下においては、投射型映像表示装置１００の映像処理回路４２に入力される映像信号（デジタル映像信号）を、映像信号Ｒｉ、Ｇｉ、Ｂｉとも表記する。映像信号Ｒｉ、Ｇｉ、Ｂｉは、式１のＲｉ、Ｇｉ、Ｂｉと同様である。
【０２５４】
以下においては、グループαに対応し、かつ、映像信号Ｒｉ、Ｇｉ、Ｂｉに対する３刺激値を、Ｘｎ＿α、Ｙｎ＿α、Ｚｎ＿αとも表記する。また、以下においては、グループβに対応し、かつ、映像信号Ｒｉ、Ｇｉ、Ｂｉに対する３刺激値を、Ｘｎ＿β、Ｙｎ＿β、Ｚｎ＿βとも表記する。
【０２５５】
また、以下においては、Ｘｎ＿αおよびＸｎ＿βの各々を、Ｘｎ＿ｓとも表記する。また、以下においては、Ｙｎ＿αおよびＹｎ＿βの各々を、Ｙｎ＿ｓとも表記する。また、以下においては、Ｚｎ＿αおよびＺｎ＿βの各々を、Ｚｎ＿ｓとも表記する。
【０２５６】
Ｘｎ＿ｓ、Ｙｎ＿ｓおよびＺｎ＿ｓにおける「ｎ」は、前述のＩＲｎ＿αの「ｎ」と同様であるので詳細な説明は繰り返さない。また、Ｘｎ＿ｓ、Ｙｎ＿ｓおよびＺｎ＿ｓにおける「ｓ」は、モード識別子αまたはβである。
【０２５７】
ここで、映像信号Ｒｉ、Ｇｉ、Ｂｉに対する３刺激値であるＸｎ＿ｓ、Ｙｎ＿ｓおよびＺｎ＿ｓは、以下の式４により表される。
【０２５８】
【数４】
2015099297.tif 000006
【０２５９】
以下においては、グループαに対応し、かつ、ＩＤ番号が示す数字に対応する、式１の補正係数ＲＲ、ＲＧ、ＲＢ、ＧＲ、ＧＧ、ＧＢ、ＢＲ、ＢＧ、ＢＢを、それぞれ、補正係数ＲＲｎ＿α、ＲＧｎ＿α、ＲＢｎ＿α、ＧＲｎ＿α、ＧＧｎ＿α、ＧＢｎ＿α、ＢＲｎ＿α、ＢＧｎ＿α、ＢＢｎ＿αとも表記する。
【０２６０】
また、以下においては、グループβに対応し、かつ、ＩＤ番号が示す数字に対応する、補正係数ＲＲ、ＲＧ、ＲＢ、ＧＲ、ＧＧ、ＧＢ、ＢＲ、ＢＧ、ＢＢを、それぞれ、補正係数ＲＲｎ＿β、ＲＧｎ＿β、ＲＢｎ＿β、ＧＲｎ＿β、ＧＧｎ＿β、ＧＢｎ＿β、ＢＲｎ＿β、ＢＧｎ＿β、ＢＢｎ＿βとも表記する。
【０２６１】
また、以下においては、補正係数ＲＲｎ＿α、ＲＧｎ＿α、ＲＢｎ＿α、ＧＲｎ＿α、ＧＧｎ＿α、ＧＢｎ＿α、ＢＲｎ＿α、ＢＧｎ＿α、ＢＢｎ＿αと、補正係数ＲＲｎ＿β、ＲＧｎ＿β、ＲＢｎ＿β、ＧＲｎ＿β、ＧＧｎ＿β、ＧＢｎ＿β、ＢＲｎ＿β、ＢＧｎ＿β、ＢＢｎ＿βとを、補正係数ＲＲｎ＿ｓ、ＲＧｎ＿ｓ、ＲＢｎ＿ｓ、ＧＲｎ＿ｓ、ＧＧｎ＿ｓ、ＧＢｎ＿ｓ、ＢＲｎ＿ｓ、ＢＧｎ＿ｓ、ＢＢｎ＿ｓとも表記する。
【０２６２】
補正係数ＲＲｎ＿ｓ、ＲＧｎ＿ｓ、ＲＢｎ＿ｓ、ＧＲｎ＿ｓ、ＧＧｎ＿ｓ、ＧＢｎ＿ｓ、ＢＲｎ＿ｓ、ＢＧｎ＿ｓ、ＢＢｎ＿ｓにおける「ｎ」は、前述のＩＲｎ＿αの「ｎ」と同様であるので詳細な説明は繰り返さない。また、補正係数ＲＲｎ＿ｓ、ＲＧｎ＿ｓ、ＲＢｎ＿ｓ、ＧＲｎ＿ｓ、ＧＧｎ＿ｓ、ＧＢｎ＿ｓ、ＢＲｎ＿ｓ、ＢＧｎ＿ｓ、ＢＢｎ＿ｓにおける「ｓ」は、モード識別子αまたはβである。
【０２６３】
補正係数ＲＲ、ＲＧ、ＲＢ、ＧＲ、ＧＧ、ＧＢ、ＢＲ、ＢＧ、ＢＢを、それぞれ、ＲＲｎ＿ｓ、ＲＧｎ＿ｓ、ＲＢｎ＿ｓ、ＧＲｎ＿ｓ、ＧＧｎ＿ｓ、ＧＢｎ＿ｓ、ＢＲｎ＿ｓ、ＢＧｎ＿ｓ、ＢＢｎ＿ｓに置き換えた前述の式１と、式４とから、以下の式５が得られる。
【０２６４】
【数５】
2015099297.tif 000007
【０２６５】
次に、各投射型映像表示装置１００のマイコン４３は、補正係数算出処理（Ｓ１２６，Ｓ１２６Ｎ，Ｓ１２６Ｌ）を行う。すなわち、マスター装置Ｍａおよびスレーブ装置Ｓｂ，Ｓｃ，Ｓｄの各々のマイコン４３は、補正係数算出処理を行う。
【０２６６】
補正係数算出処理では、各投射型映像表示装置１００のマイコン４３は、当該投射型映像表示装置１００の設定輝度モードに対応する補正係数を算出する。当該補正係数は、投射型映像表示装置１００に入力される映像信号のレベルを補正するための補正係数である。また、当該補正係数は、同一の輝度モードの各投射型映像表示装置１００の映像色度を同じにするための係数である。当該補正係数は、前述の補正係数ＲＲｎ＿ｓ、ＲＧｎ＿ｓ、ＲＢｎ＿ｓ、ＧＲｎ＿ｓ、ＧＧｎ＿ｓ、ＧＢｎ＿ｓ、ＢＲｎ＿ｓ、ＢＧｎ＿ｓ、ＢＢｎ＿ｓである。
【０２６７】
少し具体的には、補正係数算出処理では、各投射型映像表示装置１００のマイコン４３が、当該投射型映像表示装置１００の設定輝度モードに対応する目標色度に基づいて、当該設定輝度モードに対応する補正係数を算出する。
【０２６８】
具体的には、補正係数算出処理では、各投射型映像表示装置１００のマイコン４３が、ステップＳ７０で算出された目標輝度ＹＲＴ＿ｓ，ＹＧＴ＿ｓ，ＹＢＴ＿ｓと、演算処理Ｋで算出されたＸＲ０ｎ＿ｓ、ＺＲ０ｎ＿ｓ、ＸＧ０ｎ＿ｓ、ＺＧ０ｎ＿ｓ、ＸＢ０ｎ＿ｓ、ＺＢ０ｎ＿ｓと、演算処理Ｋで算出されたＸＲＴ＿ｓ、ＺＲＴ＿ｓ、ＸＧＴ＿ｓ、ＺＧＴ＿ｓ、ＸＢＴ＿ｓ、ＺＢＴ＿ｓとを、式５に代入する。これにより、マイコン４３は、補正係数ＲＲｎ＿ｓ、ＲＧｎ＿ｓ、ＲＢｎ＿ｓ、ＧＲｎ＿ｓ、ＧＧｎ＿ｓ、ＧＢｎ＿ｓ、ＢＲｎ＿ｓ、ＢＧｎ＿ｓ、ＢＢｎ＿ｓを算出する。
【０２６９】
ここで、一例として、補正係数算出処理（Ｓ１２６）において、マスター装置Ｍａのマイコン４３が行う処理について説明する。補正係数算出処理（Ｓ１２６）では、マスター装置Ｍａのマイコン４３が、目標輝度ＹＲＴ＿α，ＹＧＴ＿α，ＹＢＴ＿αと、ＸＲ０ｎ＿α、ＺＲ０ｎ＿α、ＸＧ０ｎ＿α、ＺＧ０ｎ＿α、ＸＢ０ｎ＿α、ＺＢ０ｎ＿αと、ＸＲＴ＿α、ＺＲＴ＿α、ＸＧＴ＿α、ＺＧＴ＿α、ＸＢＴ＿α、ＺＢＴ＿αとを、式５に代入する。これにより、マイコン４３は、通常モード（グループα）に対応する補正係数ＲＲｎ＿α、ＲＧｎ＿α、ＲＢｎ＿α、ＧＲｎ＿α、ＧＧｎ＿α、ＧＢｎ＿α、ＢＲｎ＿α、ＢＧｎ＿α、ＢＢｎ＿αを算出する。
【０２７０】
また、補正係数算出処理（Ｓ１２６Ｎ）では、通常モードのスレーブ装置Ｓｂのマイコン４３は、ステップＳ１２６と同様に、補正係数ＲＲｎ＿α、ＲＧｎ＿α、ＲＢｎ＿α、ＧＲｎ＿α、ＧＧｎ＿α、ＧＢｎ＿α、ＢＲｎ＿α、ＢＧｎ＿α、ＢＢｎ＿αを算出する。
【０２７１】
また、補正係数算出処理（Ｓ１２６Ｌ）では、省電力モードの各スレーブ装置Ｓのマイコン４３は、ステップＳ１２６と同様に、補正係数ＲＲｎ＿β、ＲＧｎ＿β、ＲＢｎ＿β、ＧＲｎ＿β、ＧＧｎ＿β、ＧＢｎ＿β、ＢＲｎ＿β、ＢＧｎ＿β、ＢＢｎ＿βを算出する。
【０２７２】
次に、各投射型映像表示装置１００のマイコン４３は、色度補正処理（Ｓ１２７，Ｓ１２７Ｎ，Ｓ１２７Ｌ）を行う。すなわち、マスター装置Ｍａおよびスレーブ装置Ｓｂ，Ｓｃ，Ｓｄの各々のマイコン４３は、色度補正処理を行う。
【０２７３】
色度補正処理は、算出された補正係数を用いて、同一の輝度モードの各投射型映像表示装置１００の映像色度を同じにするための処理である。
【０２７４】
ここで、一例として、色度補正処理（Ｓ１２７）において、マスター装置Ｍａのマイコン４３が行う処理について説明する。色度補正処理（Ｓ１２７）では、映像処理回路４２が、算出された補正係数ＲＲｎ＿α、ＲＧｎ＿α、ＲＢｎ＿α、ＧＲｎ＿α、ＧＧｎ＿α、ＧＢｎ＿α、ＢＲｎ＿α、ＢＧｎ＿α、ＢＢｎ＿αを使用して前述の画質調整を行うように、マイコン４３が映像処理回路４２を制御する。
【０２７５】
また、色度補正処理（Ｓ１２７Ｎ）では、スレーブ装置Ｓｂのマイコン４３は、ステップＳ１２７と同様に、映像処理回路４２を制御する。
【０２７６】
また、色度補正処理（Ｓ１２７Ｌ）では、各スレーブ装置Ｓのマイコン４３は、ステップＳ１２７と同様に、映像処理回路４２を制御する。以下、一例として、スレーブ装置Ｓｃの処理について説明する。
【０２７７】
スレーブ装置Ｓｃのマイコン４３は、映像処理回路４２が、算出された補正係数ＲＲｎ＿β、ＲＧｎ＿β、ＲＢｎ＿β、ＧＲｎ＿β、ＧＧｎ＿β、ＧＢｎ＿β、ＢＲｎ＿β、ＢＧｎ＿β、ＢＢｎ＿βを使用して前述の画質調整を行うように、マイコン４３が映像処理回路４２を制御する。
【０２７８】
以上の色度補正処理（Ｓ１２７，Ｓ１２７Ｎ，Ｓ１２７Ｌ）により、同一の輝度モードの各投射型映像表示装置１００の映像色度は、同じになる。すなわち、色度補正処理（Ｓ１２７，Ｓ１２７Ｎ，Ｓ１２７Ｌ）により、同一の輝度モードの各投射型映像表示装置１００の映像色度のばらつきを抑制（防止）することができる。そして、ステップＳ１０２Ｍ，Ｓ１０２Ｎ，Ｓ１０２Ｌは終了し、図８の輝度色度調整処理は終了する。
【０２７９】
以上説明したように、本実施の形態によれば、実施の形態１と同様の処理を行う。そのため、同一の輝度モードの投射型映像表示装置１００間の輝度のばらつきを抑制することができる。
【０２８０】
また、本実施の形態によれば、マスター装置Ｍａが、輝度モードごとに、各グループのスレーブ装置Ｓと目標色度を送受信することにより目標色度を算出する。そして、各投射型映像表示装置１００が、自身の輝度モードに対応する目標色度に基づいて、映像信号のレベルを補正するための補正係数を算出する。そして、色度補正処理により、算出された補正係数を用いて、同一の輝度モードの各投射型映像表示装置１００の映像色度を同じにするための処理が行われる。
【０２８１】
これにより、各グループ毎に投射型映像表示装置１００間の輝度および色度のばらつきを抑制することができる。すなわち、同一の輝度モードの各投射型映像表示装置１００間の輝度および色度のばらつきを抑制することができる。その結果、マルチ画面表示装置１０００に表示される映像の一体感を向上させることができる。
【０２８２】
なお、仮に、映像信号のレベルの補正だけを行って、輝度調整及び色度補正の両方を行うと、各投射型映像表示装置１００において階調表現レベルが損なわれることがある。
【０２８３】
それに対し、本実施の形態では、制御電流を調整して、輝度のばらつきを抑制する。また、映像信号のレベルを補正して、色度のばらつきを抑制する。これにより、画面に表示される映像信号のデジタル表現階調が損なわれるのを低減することができる。したがって、本実施の形態の処理は、中間階調を多く使用する自然画などの映像表示において特に有効である。
【０２８４】
＜実施の形態３＞
実施の形態１，２では、マルチ画面表示装置１０００における輝度、色度のばらつきを低減する方法について説明した。
【０２８５】
本実施の形態では、マルチ画面表示装置１０００を使用するユーザーが、マルチ画面表示装置１０００を構成する各投射型映像表示装置１００のいずれかの輝度モードを変更する際に生じる不具合を解決するための処理について説明する。当該不具合は、マルチ画面表示装置１０００の大部分の輝度が変わるという不具合である。この不具合が生じた場合、ユーザーに不快感を抱かせてしまう。
【０２８６】
まず、比較例として、ユーザーに不快感を抱かせる可能性のある処理（動作）について説明する。
【０２８７】
前提として、図１０のように、マルチ画面表示装置１０００は、図１と同様に、４台の投射型映像表示装置１００から構成されているとする。また、各投射型映像表示装置１００は、前述の図５または図８のステップＳ３１，Ｓ３２Ｎ，Ｓ３２Ｌのいずれかを行うことにより、マイコン４３は、自身の出力可能な特性輝度ＹＲ０ｎ＿ｓ、ＹＧ０ｎ＿ｓ、ＹＢ０ｎ＿ｓ（ｎ＝１〜４、ｓ＝α，β）を特定している。なお、図１０では、説明の簡便化のため、Ｒに対応する特性輝度のみを示している。
【０２８８】
図１１は、比較例において、輝度モードが変更された場合における目標輝度の変遷を示す図である。なお、図１１では、説明の簡便化のため、Ｒに対応する特性輝度および目標輝度のみを説明するための情報を示している。
【０２８９】
図１１では、以下の運用段階Ｎにおける目標輝度の変遷を示す。当該運用段階Ｎは、特性輝度ＹＲ０ｎ＿ｓ（ｎ＝１〜４、ｓ＝α，β）を利用して、実施の形態１，２の処理により、輝度のばらつきが低減されている段階である。具体的には、図１１は、運用段階Ｎおいて、ユーザーが外部制御装置６を操作することにより、マルチ画面表示装置１０００を構成する各投射型映像表示装置１００のいずれかの輝度モードを変更した場合における、目標輝度ＹＲＴ＿ｓ（ｓ＝α，β）の変遷を表している。
【０２９０】
ここで、マルチ画面表示装置１０００は、以下の条件Ｂを満たすとする。条件Ｂは、マスター装置Ｍａおよびスレーブ装置Ｓｂには、輝度モードとしての通常モードが設定されていることである。すなわち、マスター装置Ｍａおよびスレーブ装置Ｓｂは、グループαに属する。また、条件Ｂは、スレーブ装置Ｓｃ，Ｓｄには、輝度モードとしての省電力モードが設定されていることである。すなわち、スレーブ装置Ｓｃ，Ｓｄは、グループβに属する。
【０２９１】
図１１（ａ）では、上記条件Ｂにおけるマスター装置Ｍａ及びスレーブ装置Ｓｂ，Ｓｃ，Ｓｄを示す。なお、通常モードに対応する目標輝度ＹＲＴ＿αは、７９０ｃｄ／ｍ２である。また、省電力モードに対応する目標輝度ＹＲＴ＿βは、３３０ｃｄ／ｍ２である。
【０２９２】
目標輝度ＹＲＴ＿α，ＹＲＴ＿βが、上記の値である理由は、実施の形態１、２における、図５または図８のステップＳ７０の処理に従って算出されたためである。具体的には、グループαについては、当該グループαに属するマスター装置Ｍａおよびスレーブ装置Ｓｂの特性輝度のうち、最も小さい値を示す特性輝度が、目標輝度として算出される。すなわち、ＹＲＴ＿α＝Ｍｉｎ（ＹＲ０１＿α，ＹＲ０２＿α）により、目標輝度ＹＲＴ＿αは、ＹＲ０１＿αである。
【０２９３】
また、グループβについては、当該グループβに属するスレーブ装置Ｓｃ，Ｓｄの特性輝度のうち、最も大きい値を示す特性輝度が、目標輝度として算出される。すなわち、ＹＲＴ＿β＝Ｍａｘ（ＹＲ０３＿β，ＹＲ０４＿β）により、目標輝度ＹＲＴ＿βは、ＹＲ０３＿αである。
【０２９４】
次に、図１１（ａ）の状態において、ユーザーが、スレーブ装置Ｓｃの設定輝度モードを、省電力モードから通常モードに変更するための操作を、外部制御装置６に対して行ったとする。この場合、スレーブ装置Ｓｃのマイコン４３は、スレーブ装置Ｓｃの設定輝度モードを、省電力モードから通常モードに変更する輝度モード変更処理（Ｓ２１０）を行う。
【０２９５】
これにより、マスター装置Ｍａおよびスレーブ装置Ｓｂ，Ｓｃ，Ｓｄは、図１１（ｂ）の状態になる。すなわち、グループαに属する装置は、マスター装置Ｍａおよびスレーブ装置Ｓｂ，Ｓｃとなる。なお、図１０より、通常モードのスレーブ装置Ｓｃの特性輝度は、ＹＲ０３＿α＝７８０ｃｄ／ｍ２である。
【０２９６】
この場合、グループαに属するマスター装置Ｍａおよびスレーブ装置Ｓｂ，Ｓｃの特性輝度のうち、最も小さい値を示す特性輝度が、目標輝度ＹＲＴ＿αとして算出される。すなわち、目標輝度ＹＲＴ＿αは、ＹＲＴ＿α＝Ｍｉｎ（ＹＲ０１＿α，ＹＲ０２＿α，ＹＲ０３＿α）により、ＹＲ０３＿α（７８０ｃｄ／ｍ２）となる。
【０２９７】
同時に、グループβに属する装置は、スレーブ装置Ｓｄのみになる。そのため、目標輝度ＹＲＴ＿βは、スレーブ装置Ｓｄの特性輝度ＹＲ０４＿β（３２０ｃｄ／ｍ２）となる。
【０２９８】
すなわち、輝度モード変更処理（Ｓ２１０）により、グループαに属する投射型映像表示装置１００も、グループβに属する投射型映像表示装置１００も、目標輝度が変更される。そのため、全ての投射型映像表示装置１００の映像輝度が変わる。すなわち、１台の投射型映像表示装置１００の輝度モードを変更したのみであるにも関わらず、ユーザーは、マルチ画面表示装置１０００全体の輝度が変わって見える。
【０２９９】
次に、図１１（ｂ）の状態において、ユーザーが、スレーブ装置Ｓｃの設定輝度モードを、通常モードから省電力モードに変更するための操作を、外部制御装置６に対して行ったとする。この場合、スレーブ装置Ｓｃのマイコン４３は、スレーブ装置Ｓｃの設定輝度モードを、通常モードから省電力に変更する輝度モード変更処理（Ｓ２２０）を行う。
【０３００】
これにより、図１１（ｃ）のように、マスター装置Ｍａ及びスレーブ装置Ｓｂ，Ｓｃ，Ｓｄの各々が属するグループは、図１１（ａ）の元のグループに戻る。この場合、ステップＳ７０の処理が行われることにより、各輝度モードに対応する目標輝度ＹＲＴ＿α，ＹＲＴ＿βは、それぞれ、ＹＲ０１＿α（７９０ｃｄ／ｍ２），ＹＲ０３＿α（３３０ｃｄ／ｍ２）となる。
【０３０１】
輝度モード変更処理（Ｓ２２０）により、グループαに属する投射型映像表示装置１００も、グループβに属する投射型映像表示装置１００も、目標輝度が変更される。そのため、全ての投射型映像表示装置１００の映像輝度が変わる。すなわち、１台の投射型映像表示装置１００の輝度モードを変更したのみであるにも関わらず、ユーザーは、マルチ画面表示装置１０００全体の輝度が変わって見える。
【０３０２】
すなわち、比較例では、輝度モード変更処理（Ｓ２１０）または輝度モード変更処理（Ｓ２２０）が行われた場合、１台の投射型映像表示装置１００の輝度モードを変更したのみであるにも関わらず、ユーザーは、マルチ画面表示装置１０００全体の輝度が変わって見える。そのため、ユーザーが不快感を抱いてしまう可能性がある。
【０３０３】
また、比較例では、前述のように、グループαに属する各投射型映像表示装置１００の特性輝度のうち、最も小さい値を示す最小特性輝度が、目標輝度として算出さされる。この場合、当該最小特性輝度に対応する投射型映像表示装置１００の輝度モードが変更されると、変更前の輝度モードに属する各投射型映像表示装置１００における最小特性輝度が変わる。
【０３０４】
その際に、目標輝度まで変わってしまうと、輝度モードが変更された投射型映像表示装置１００の輝度モードが、変更前の輝度モードになったとき、再び、目標輝度が変化する。そのため、１台の投射型映像表示装置１００の輝度モードを変更しただけにも関わらず、マルチ画面表示装置１０００全体の輝度が頻繁に変わる。そのため、マルチ画面１０Ａを見ているユーザーは、映像がちらついてように感じ、不快に思う可能性がある。
【０３０５】
そこで、本実施の形態では、投射型映像表示装置１００の輝度モードを変更する際に、以下の目標輝度算出処理Ａ１に従って、変更後の輝度モードに対応する目標輝度を算出する。目標輝度算出処理Ａ１は、マルチ画面表示装置１０００を構成する複数の投射型映像表示装置の一部の前記輝度モードが変更される際に、実行される。目標輝度算出処理Ａ１は、目標輝度算出処理ＡＮおよび目標輝度算出処理ＡＬを含む。
【０３０６】
目標輝度算出処理ＡＮは、グループα（通常モード）に対応する目標輝度を算出するための処理である。目標輝度算出処理ＡＬは、グループβ（省電力モード）に対応する目標輝度を算出するための処理である。以下においては、目標輝度算出処理ＡＮ，ＡＬの各々を、単に、目標輝度算出処理Ａともいう。
【０３０７】
ここで、本実施の形態に係るマルチ画面表示装置は、図１のマルチ画面表示装置１０００である。
【０３０８】
なお、実施の形態１における図５のステップＳ７０では、グループαについては、当該グループαに属する各投射型映像表示装置１００の特性輝度のうち、最も小さい値を示す特性輝度が、目標輝度として算出される。また、グループβについては、当該グループβに属する各投射型映像表示装置１００の特性輝度のうち、最も大きい値を示す特性輝度が、目標輝度として算出される。
【０３０９】
以下においては、グループαに属する各投射型映像表示装置１００の特性輝度のうち、最も小さい値を示す特性輝度を、最小特性輝度ともいう。また、グループβに属する各投射型映像表示装置１００の特性輝度のうち、最も大きい値を示す特性輝度を、最大特性輝度ともいう。
【０３１０】
目標輝度算出処理Ａでは、最小特性輝度または最大特性輝度を、輝度モード変更後の目標輝度として採用する前に、最小特性輝度または最大特性輝度を、目標輝度の候補とする。以下においては、投射型映像表示装置１００の輝度モードが変更される場合において、変更後の輝度モードを、変更輝度モードともいう。また、以下においては、変更輝度モードに対応する目標輝度を、変更目標輝度ともいう。
【０３１１】
以下、目標輝度算出処理ＡＮおよび目標輝度算出処理ＡＬについて、具体的に説明する。目標輝度算出処理Ａ１において、目標輝度算出処理ＡＮおよび目標輝度算出処理ＡＬの各々は、独立して並列的に行われる。
【０３１２】
目標輝度算出処理ＡＮおよび目標輝度算出処理ＡＬの各々では、要約すれば、マスター装置Ｍａのマイコン４３が、既に算出されている目標輝度と、変更目標輝度との差が最小となるように、当該変更目標輝度を算出する。
【０３１３】
図１２は、目標輝度算出処理Ａ１のフローチャートである。目標輝度算出処理Ａ１は、マスター装置Ｍａが行う。前述したように、目標輝度算出処理Ａ１は、目標輝度算出処理ＡＮおよび目標輝度算出処理ＡＬを含む。以下においては、図５または図８のステップＳ７０において既に算出されている目標輝度を、算出目標輝度ともいう。算出目標輝度は、各投射型映像表示装置１００における最新の目標輝度である。
【０３１４】
また、以下においては、グループα（通常モード）に対応する算出目標輝度を、算出目標輝度αともいう。算出目標輝度αは、ＹＲＴ＿α，ＹＧＴ＿α，ＹＢＴ＿αである。また、以下においては、グループβ（省電力モード）に対応する算出目標輝度を、算出目標輝度βともいう。算出目標輝度βは、ＹＲＴ＿β，ＹＧＴ＿β，ＹＢＴ＿βである。
【０３１５】
まず、目標輝度算出処理ＡＮについて説明する。目標輝度算出処理ＡＮでは、マイコン４３が、最小特性輝度を比較用目標輝度とする（Ｓ３１０Ｎ）。比較用目標輝度とは、比較のために使用される輝度である。次に、マイコン４３が、比較用目標輝度と算出目標輝度とを比較する（Ｓ３２０Ｎ）。次に、マイコン４３が、比較用目標輝度および算出目標輝度のうち値が小さい目標輝度を、変更目標輝度として算出する（Ｓ３３０Ｎ）。
【０３１６】
次に、目標輝度算出処理ＡＬについて説明する。目標輝度算出処理ＡＬでは、マイコン４３が、最大特性輝度を比較用目標輝度とする（Ｓ３１０Ｌ）。次に、マイコン４３が、比較用目標輝度と算出目標輝度とを比較する（Ｓ３２０Ｌ）。次に、マイコン４３が、比較用目標輝度および算出目標輝度のうち値が大きい目標輝度を、変更目標輝度として算出する（Ｓ３３０Ｌ）。
【０３１７】
次に、例をあげつつ、目標輝度算出処理ＡＮおよび目標輝度算出処理ＡＬの具体的な処理について説明する。以下、簡単のために、Ｒに対応する変更目標輝度を算出するための処理について説明する。
【０３１８】
図１３は、本発明の実施の形態３に係る目標輝度算出処理を説明するための図である。また、図１３は、図１１と同様に、輝度モードが変更された場合における目標輝度の変遷を示す。なお、図１３では、説明の簡便化のため、Ｒに対応する特性輝度および目標輝度のみを説明するための情報を示している。
【０３１９】
具体的には、図１３は、前述の運用段階Ｎおいて、ユーザーが外部制御装置６を操作することにより、マルチ画面表示装置１０００を構成する各投射型映像表示装置１００のいずれかの輝度モードを変更した場合における、目標輝度ＹＲＴ＿ｓ（ｓ＝α，β）の変遷を表している。なお、目標輝度は、目標輝度算出処理ＡＮまたは目標輝度算出処理ＡＬにより算出される。
【０３２０】
図１３（ａ）のマルチ画面表示装置１０００は、図１１（ａ）のマルチ画面表示装置１０００と同じ構成を有する。すなわち、マルチ画面表示装置１０００は、図１１（ａ）のマルチ画面表示装置１０００と同じ輝度モード、同じ特性輝度を有する。
【０３２１】
次に、図１３（ａ）の状態において、ユーザーが、スレーブ装置Ｓｃの設定輝度モードを、省電力モードから通常モードに変更するための操作を、外部制御装置６に対して行ったとする。この場合、スレーブ装置Ｓｃのマイコン４３は、スレーブ装置Ｓｃの設定輝度モードを、省電力モードから通常モードに変更する輝度モード変更処理（Ｓ２１０）を行う。
【０３２２】
これにより、マスター装置Ｍａ及びスレーブ装置Ｓｂ，Ｓｃ，Ｓｄは、図１３（ｂ）の状態になる。すなわち、グループαに属する装置は、マスター装置Ｍａおよびスレーブ装置Ｓｂ，Ｓｃとなる。なお、図１０より、通常モードのスレーブ装置Ｓｃの特性輝度は、ＹＲ０３＿α＝７８０ｃｄ／ｍ２である。
【０３２３】
また、スレーブ装置Ｓｃの輝度モードの変更に応じて、目標輝度算出処理Ａ１が行われる。すなわち、目標輝度算出処理ＡＮおよび目標輝度算出処理ＡＬが行われる。
【０３２４】
目標輝度算出処理ＡＮでは、まず、マイコン４３が、グループαに属するマスター装置Ｍａおよびスレーブ装置Ｓｂ，Ｓｃの特性輝度のうち、最小特性輝度としてのＹＲ０３＿α（７８０ｃｄ／ｍ２）を、比較用目標輝度とする（Ｓ３１０Ｎ）。
【０３２５】
次に、マイコン４３は、比較用目標輝度（７８０ｃｄ／ｍ２）と現在の算出目標輝度（７９０ｃｄ／ｍ２）とを比較する（Ｓ３２０Ｎ）。次に、マイコン４３は、比較用目標輝度および算出目標輝度のうち値が小さい比較用目標輝度を、変更目標輝度として算出する（Ｓ３３０Ｎ）。
【０３２６】
同時に、グループβに属する装置は、スレーブ装置Ｓｄのみになる。そのため、目標輝度算出処理ＡＬでは、まず、マイコン４３が、グループβに属するスレーブ装置Ｓｄの特性輝度のうち、最大特性輝度としてのＹＲ０４＿β（３２０ｃｄ／ｍ２）を、比較用目標輝度とする（Ｓ３１０Ｌ）。
【０３２７】
次に、マイコン４３は、比較用目標輝度（３２０ｃｄ／ｍ２）と現在の算出目標輝度（３３０ｃｄ／ｍ２）とを比較する（Ｓ３２０Ｌ）。次に、マイコン４３は、比較用目標輝度および算出目標輝度のうち値が大きい算出目標輝度を、変更目標輝度として算出する（Ｓ３３０Ｌ）。すなわち、現在の算出目標輝度が、グループβの目標輝度として、そのまま維持される（図１３（ａ）（ｂ）参照）。
【０３２８】
そして、目標輝度算出処理ＡＮ，ＡＬにより算出された変更目標輝度を、新たな目標輝度として用いて、図５または図８のステップＳ８１，Ｓ８２Ｎ，Ｓ８２Ｌ，Ｓ９１，Ｓ９２Ｎ，Ｓ９２Ｌ，Ｓ９３，Ｓ９４ｎ，Ｓ９４Ｌが行われる。これにより、同一の輝度モードの各投射型映像表示装置１００において、変更目標輝度に従った、映像輝度の制御が行われる。
【０３２９】
この場合、図１１の処理と異なり、目標輝度算出処理ＡＮ，ＡＬを行う図１３の処理では、グループαに属する投射型映像表示装置１００のみの目標輝度が変更される。そのため、本実施の形態によれば、比較例のようにマルチ画面表示装置１０００全体ではなく、マスター装置Ｍａおよびスレーブ装置Ｓｂ，Ｓｃのみの映像輝度が変わる。
【０３３０】
次に、図１３（ｂ）の状態において、ユーザーが、スレーブ装置Ｓｃの設定輝度モードを、通常モードから省電力モードに変更するための操作を、外部制御装置６に対して行ったとする。この場合、スレーブ装置Ｓｃのマイコン４３は、スレーブ装置Ｓｃの設定輝度モードを、通常モードから省電力に変更する輝度モード変更処理（Ｓ２２０）を行う。
【０３３１】
これにより、図１３（ｃ）のように、マスター装置Ｍａ及びスレーブ装置Ｓｂ，Ｓｃ，Ｓｄの各々が属するグループは、図１３（ａ）の元のグループに戻る。
【０３３２】
また、スレーブ装置Ｓｃの輝度モードの変更に応じて、目標輝度算出処理Ａ１が行われる。すなわち、目標輝度算出処理ＡＮおよび目標輝度算出処理ＡＬが行われる。
【０３３３】
目標輝度算出処理ＡＮでは、まず、マイコン４３が、グループαに属するマスター装置Ｍａおよびスレーブ装置Ｓｂの特性輝度のうち、最小特性輝度としてのＹＲ０１＿α（７９０ｃｄ／ｍ２）を、比較用目標輝度とする（Ｓ３１０Ｎ）。
【０３３４】
次に、マイコン４３は、比較用目標輝度（７９０ｃｄ／ｍ２）と現在の算出目標輝度（７８０ｃｄ／ｍ２）とを比較する（Ｓ３２０Ｎ）。次に、マイコン４３は、比較用目標輝度および算出目標輝度のうち値が小さい算出目標輝度を、変更目標輝度として算出する（Ｓ３３０Ｎ）。すなわち、現在の算出目標輝度が、グループαの目標輝度として、そのまま維持される（図１３（ｂ）（ｃ）参照）。
【０３３５】
同時に、グループβに属する装置として、スレーブ装置Ｓｃが追加される。そのため、目標輝度算出処理ＡＬでは、まず、マイコン４３が、グループβに属するスレーブ装置Ｓｃ，Ｓｄの特性輝度のうち、最大特性輝度としてのＹＲ０３＿β（３３０ｃｄ／ｍ２）を、比較用目標輝度とする（Ｓ３１０Ｌ）。
【０３３６】
次に、マイコン４３は、比較用目標輝度（３３０ｃｄ／ｍ２）と現在の算出目標輝度（３３０ｃｄ／ｍ２）とを比較する（Ｓ３２０Ｌ）。次に、マイコン４３は、比較用目標輝度および算出目標輝度のうち値が大きい目標輝度（３３０ｃｄ／ｍ２）を、変更目標輝度として算出する（Ｓ３３０Ｌ）。すなわち、現在の算出目標輝度が、グループβの目標輝度として、そのまま維持される（図１３（ｂ）（ｃ）参照）。
【０３３７】
よって、本実施の形態によれば、図１３を用いて説明したように、ユーザーによる能動的な輝度モードの変更に応じた映像輝度の変化を除けば、輝度モード変更処理（Ｓ２１０）および輝度モード変更処理（Ｓ２２０）のうち、輝度モード変更処理（Ｓ２１０）が行われたときのみ、マスター装置Ｍａおよびスレーブ装置Ｓｂ，Ｓｃの映像輝度が変わる。
【０３３８】
なお、図１３では、Ｒのみに関して説明したが、Ｇ，Ｂに関してもＲと同様な処理が行われる。
【０３３９】
図１１の比較例では、輝度モード変更処理（Ｓ２１０）および輝度モード変更処理（Ｓ２２０）の各々が行われた際に、全ての投射型映像表示装置１００の映像輝度が変更されていた。
【０３４０】
一方、本実施の形態では、ユーザーによる能動的な輝度モードの変更に応じた映像輝度の変化を除けば、目標輝度算出処理ＡＮおよび目標輝度算出処理ＡＬが行われることにより、輝度モード変更処理（Ｓ２１０）が行われたときのみ、マスター装置Ｍａおよびスレーブ装置Ｓｂ，Ｓｃの映像輝度が変わるのみである。
【０３４１】
そのため、本実施の形態によれば、ユーザーが投射型映像表示装置１００のいずれかの輝度モードを変更するための操作を行った際に、目標輝度の変更が必要な輝度モード（グループ）のみ、映像輝度が変更される。そのため、輝度モードの変更により、不必要に映像輝度が変わることを防ぐことができる。その結果、ユーザーが不快感を抱くことを防ぐことができる。
【０３４２】
なお、本実施の形態では、１台の投射型映像表示装置１００の輝度モードを変更する場合について説明した。しかしながら、本実施の形態における処理は、２台以上の投射型映像表示装置１００の輝度モードを変更する場合においても、適用可能である。
【０３４３】
（その他の変形例）
以上、本発明に係るマルチ画面表示装置について、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、各実施の形態を自由に組み合わせたり、各実施の形態を適宜、変形、省略することが可能である。
【０３４４】
また、マルチ画面表示装置１０００の投射型映像表示装置１００は、図３に示される全ての構成要素を含まなくてもよい。すなわち、投射型映像表示装置１００は、本発明の効果を実現できる最小限の構成要素のみを含めばよい。
【０３４５】
また、本発明は、投射型映像表示装置１００が備える特徴的な構成部の動作をステップとする輝度調整方法として実現してもよい。また、本発明は、当該輝度調整方法に含まれる各ステップをコンピュータが実行してもよい。また、本発明は、そのような輝度調整方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０３４６】
上記実施の形態で用いた全ての数値は、本発明を具体的に説明するための一例の数値である。すなわち、本発明は、上記実施の形態で用いた各数値に制限されない。
【０３４７】
また、本発明に係る輝度調整方法は、例えば、図５の輝度調整処理または図８の輝度色度調整処理に相当する。輝度調整方法における各処理の実行される順序は、本発明を具体的に説明するための一例であり、上記以外の順序であってもよい。また、輝度調整方法における処理の一部と、他の処理とは、互いに独立して並列に実行されてもよい。なお、本発明は、その発明の範囲内において、各実施の形態を自由に組み合わせたり、各実施の形態を適宜、変形、省略することが可能である。
【符号の説明】
【０３４８】
３４，３４Ｂ，３４Ｇ，３４Ｌ，３４Ｒ  光源、４３  マイコン、４４  メモリ、１００，１００ａ，１００ｂ，１００ｃ，１００ｄ  投射型映像表示装置、１０００  マルチ画面表示装置、Ｍａ  マスター装置、Ｓ，Ｓｂ，Ｓｃ，Ｓｄ  スレーブ装置。
【図１】
2015099297.tif 000008
【図２】
2015099297.tif 000009
【図３】
2015099297.tif 000010
【図４】
2015099297.tif 000011
【図５】
2015099297.tif 000012
【図６】
2015099297.tif 000013
【図７】
2015099297.tif 000014
【図８】
2015099297.tif 000015
【図９】
2015099297.tif 000016
【図１０】
2015099297.tif 000017
【図１１】
2015099297.tif 000018
【図１２】
2015099297.tif 000019
【図１３】
2015099297.tif 000020